(57)【要約】      （修正有）【課題】表示装置を安定的に設置でき、しかも表示範囲の伸縮性に優れた簡易設置型表示装置を提供する。【解決手段】簡易設置型表示装置１は、フレーム３と、第一支持部１３と、伸縮機構２２であるパンタグラフ機構２を備える。パンタグラフ機構２は、一端がフレーム３のフレーム上端２８に連結され、他端が第一支持部１３に連結され、第一方向と、第一方向とは反対方向の第二方向とに移動可能である。第一支持部１３は、パンタグラフ機構２の動作により第一位置と第二位置との間を移動可能である。フレーム３において、第一方向の側の端部よりもさらに第二方向の側の端を第三位置としたとき、第一支持部１３及びフレーム３により、第一位置と第三位置との間で表示可能領域が形成される。【選択図】図１
2019078918.tif 000002
【特許請求の範囲】
【請求項１】
フレームと、第一支持部と、伸縮機構部を備え、
前記伸縮機構部は、一端が前記フレームに連結され、他端が前記第一支持部に連結され、第一方向と、前記第一方向とは反対方向の第二方向とに移動可能であり、
前記フレームは、前記第一方向及び前記第二方向と直交する第三方向と、前記第三方向の反対方向である第四方向に所定の長さを有し、
前記フレームは、前記第一方向及び前記第三方向に直交する第五方向と、前記第五方向と反対の方向である第六方向に所定の幅を有し、
前記第一支持部は、前記伸縮機構部の動作により前記第一方向と前記第二方向とに移動可能であって、最も前記第一方向の側に移動可能な位置である第一位置と、最も前記第二方向の側に移動可能な位置である第二位置との間を移動可能であり、
前記フレームにおいて、前記第一方向の側の端部よりもさらに前記第二方向の側の端を第三位置としたとき、
前記第一支持部及び前記フレームにより、前記第一位置と前記第三位置との間で表示可能領域が形成されることを特徴とする簡易設置型表示装置。
【請求項２】
前記第一支持部の前記第三方向の側の端部を伸張する第二支持部と、前記第一支持部の前記第四方向の側の端部を伸張する第三支持部の少なくとも一方を備え、
前記第二支持部又は前記第三支持部の少なくとも一方により、前記表示可能領域は、前記第三方向又は前記第四方向の少なくとも一方に拡張して形成されることを特徴とする請求項１に記載の簡易設置型表示装置。
【請求項３】
前記フレームはフレーム側支持部を備え、
前記フレーム側支持部は、前記フレームの前記第一方向の側の端部と前記フレームの前記第二方向の側の端との間の範囲において前記第一方向及び前記第二方向に移動可能であって、前記表示可能領域は前記フレームのうちの前記フレーム側支持部によって形成されることを特徴とする請求項１または２に記載の簡易設置型表示装置。
【請求項４】
前記フレーム側支持部は、前記フレーム側支持部における前記第三方向の側の端部を伸張する第四支持部と、前記第四方向の側の端部を伸張する第五支持部の少なくとも一方を備えたことを特徴とする請求項３に記載の簡易設置型表示装置。
【請求項５】
表示部材を備え、前記第一支持部及び前記フレームは取付部を備え、前記表示部材は前記取付部に取付可能であり、前記表示可能領域の範囲内で表示領域が形成されることを特徴とする請求項１から４のいずれかに記載の簡易設置型表示装置。
【請求項６】
前記取付部の少なくとも一部は前記表示部材と着脱可能な取付部材を備え、前記取付部材に所定以上の荷重が加わると前記表示部材が前記取付部から分離することを特徴とする請求項５に記載の簡易設置型表示装置。
【請求項７】
前記表示部材は、シート状のスクリーン、又は板状部材であることを特徴とする請求項５または６に記載の簡易設置型表示装置。
【請求項８】
前記伸縮機構部は第一パンタグラフ機構を備え、
前記第一パンタグラフ機構は、前記フレームの前記第一方向の側の端部に備えられた第一連結部及びフレーム側ガイド部と、前記第一支持部に備えられた第二連結部及び第一支持部側ガイド部と、互いに回動可能に連結された少なくとも一対のアームを有し、
前記アームのうち、第一アームにおける第一連結部軸は、前記第一連結部で前記フレームに連結され、第一支持部側ガイド部軸は、前記第一支持部側ガイド部で前記第一支持部に係合され、
前記アームのうち、第二アームにおけるフレーム側ガイド部軸は、前記フレーム側ガイド部で前記フレームに係合され、前記第一支持部の側の第二連結部軸は、前記第二連結部で前記第一支持部に連結され、
前記第一連結部及び前記フレーム側ガイド部は、前記第二連結部及び前記第一支持部側ガイド部に対して同方向にそれぞれ位置付けられ、
さらに、前記フレームは、前記第一アーム又は前記第二アームのいずれか一方に連結された押出機構部を備え、
前記押出機構部は、前記第一方向と前記第二方向に向いた方向に作動可能な押出部材を備え、
前記押出部材が前記第一方向に向いた方向に移動したときに、前記押出機構部に連結された前記第一アーム又は前記第二アームが移動して前記第一支持部を前記第一方向に移動させ、
前記押出部材が前記第二方向に向いた方向に移動したときに、前記押出機構部に連結された前記第一アーム又は前記第二アームが移動して前記第一支持部を前記第二方向に移動させ、
前記第一支持部が前記第二位置に位置したときに、前記押出部材の一端が前記フレームの前記第一方向の側の端部よりも前記第二方向の側であって、前記フレームの前記第二方向の側の端よりも前記第一方向の側に位置することを特徴とする請求項１から７のいずれかに記載の簡易設置型表示装置。
【請求項９】
前記伸縮機構部は第二パンタグラフ機構を備え、
前記第二パンタグラフ機構は、前記フレームの前記第一方向の側の端部に備えられた第一連結部及びフレーム側ガイド部と、前記第一支持部に備えられた第二連結部及び第一支持部側ガイド部と、互いに回動可能に連結された少なくとも一対のアームを有し、
前記アームのうち、第一アームにおける第一連結部軸は、前記第一連結部で前記フレームに連結され、第一支持部側ガイド部軸は、前記第一支持部側ガイド部で前記第一支持部に係合され、
前記アームのうち、第二アームにおけるフレーム側ガイド部軸は、前記フレーム側ガイド部で前記フレームに係合され、前記第一支持部の側の第二連結部軸は、前記第二連結部で前記第一支持部に連結され、
前記第一連結部及び前記フレーム側ガイド部は、前記第二連結部及び前記第一支持部側ガイド部に対して同方向にそれぞれ位置付けられ、
さらに、前記フレームにおける前記第一方向の側の端部に設けられ、前記フレーム側ガイド部に係合する前記フレーム側ガイド部軸を前記フレーム側ガイド部に沿って移動させる端部移動機構を備え、
前記端部移動機構における端部移動部材が、前記第三方向に移動したときに前記アームが回動して前記第一支持部が前記第一方向に移動し、
前記端部移動部材が、前記第四方向に移動したときに前記アームが回動して前記第一支持部が前記第二方向に移動することを特徴とする請求項１から７のいずれかに記載の簡易設置型表示装置。
【請求項１０】
前記伸縮機構部は、少なくとも二つの第三パンタグラフ機構を備え、
前記第三パンタグラフ機構は、前記フレームの前記第一方向の側の端部に備えられた第三機構第一連結部及び第三機構フレーム側ガイド部と、前記第一支持部に備えられた第三機構第二連結部及び第三機構第一支持部側ガイド部と、回動可能に連結された少なくとも一対の第三機構アームを有し、
前記第三機構アームのうち、第三機構第一アームにおける第三機構第一連結部軸は、前記第三機構第一連結部で前記フレームに連結され、第三機構第一支持部側ガイド部軸は、前記第三機構第一支持部側ガイド部で前記第一支持部に係合され、
前記第三機構アームのうち、第三機構第二アームにおける第三機構フレーム側ガイド部軸は、前記第三機構フレーム側ガイド部で前記フレームに係合され、前記第一支持部の側の第三機構第二連結部軸は、前記第三機構第二連結部で前記第一支持部に連結され、
前記第三機構第一連結部及び前記第三機構フレーム側ガイド部は、前記第三機構第二連結部及び前記第三機構第一支持部側ガイド部に対して同方向にそれぞれ位置付けられ、
前記第三パンタグラフ機構のうちの一つは、前記第三機構第二連結部が前記第三機構フレーム側ガイド部に対して前記第三方向の側にあり、前記第三パンタグラフ機構のうちの他の一つは、前記第三機構第二連結部が前記第三機構フレーム側ガイド部に対して前記第四方向の側にあり、
さらに、前記フレームは第三押出機構部を備え、
前記第三押出機構部は、前記第一方向と前記第二方向に作動可能な第三押出部材を備え、
前記第三押出部材が前記第一方向に移動したときに、前記第三押出機構部に接触する前記第一支持部を前記第一方向に移動させ、
前記第三押出部材が前記第二方向に移動したときに、前記第三押出機構部に接触する前記第一支持部を前記第二方向に移動させ、
前記第一支持部が前記第二位置に位置したときに、前記第三押出部材の一端が前記フレームの前記第一方向の側の端部よりも前記第二方向の側であって、前記フレームの前記第二方向の側の端よりも前記第一方向の側に位置することを特徴とする請求項１から７のいずれかに記載の簡易設置型表示装置。
【請求項１１】
前記伸縮機構部は、少なくとも二つの第三パンタグラフ機構と少なくとも一つの前記第一パンタグラフ機構を備え、
前記第三パンタグラフ機構は、前記フレームの前記第一方向の側の端部に備えられた第三機構第一連結部及び第三機構フレーム側ガイド部と、前記第一支持部に備えられた第三機構第二連結部及び第三機構第一支持部側ガイド部と、回動可能に連結された少なくとも一対の第三機構アームを有し、
前記第三機構アームのうち、第三機構第一アームにおける第三機構第一連結部軸は、前記第三機構第一連結部で前記フレームに連結され、第三機構第一支持部側ガイド部軸は、前記第三機構第一支持部側ガイド部で前記第一支持部に係合され、
前記第三機構アームのうち、第三機構第二アームにおける第三機構フレーム側ガイド部軸は、前記第三機構フレーム側ガイド部で前記フレームに係合され、前記第一支持部の側の第三機構第二連結部軸は、前記第三機構第二連結部で前記第一支持部に連結され、
前記第三機構第一連結部及び前記第三機構フレーム側ガイド部は、前記第三機構第二連結部及び前記第三機構第一支持部側ガイド部に対して同方向にそれぞれ位置付けられ、
前記第三パンタグラフ機構のうちの一つは、前記第三機構第二連結部が前記第三機構フレーム側ガイド部に対して前記第三方向の側にあり、前記第三パンタグラフ機構のうちの他の一つは、前記第三機構第二連結部が前記第三機構フレーム側ガイド部に対して前記第四方向の側にあり、
少なくとも一つの前記第一パンタグラフ機構は、前記第五方向と前記第六方向において前記第三パンタグラフ機構に挟まれた位置に備えられたことを特徴とする請求項８に記載の簡易設置型表示装置。
【請求項１２】
前記伸縮機構部は、少なくとも二つの第三パンタグラフ機構と少なくとも一つの前記第二パンタグラフ機構を備え、
前記第三パンタグラフ機構は、前記フレームの前記第一方向の側の端部に備えられた第三機構第一連結部及び第三機構フレーム側ガイド部と、前記第一支持部に備えられた第三機構第二連結部及び第三機構第一支持部側ガイド部と、回動可能に連結された少なくとも一対の第三機構アームを有し、
前記第三機構アームのうち、第三機構第一アームにおける第三機構第一連結部軸は、前記第三機構第一連結部で前記フレームに連結され、第三機構第一支持部側ガイド部軸は、前記第三機構第一支持部側ガイド部で前記第一支持部に係合され、
前記第三機構アームのうち、第三機構第二アームにおける第三機構フレーム側ガイド部軸は、前記第三機構フレーム側ガイド部で前記フレームに係合され、前記第一支持部の側の第三機構第二連結部軸は、前記第三機構第二連結部で前記第一支持部に連結され、
前記第三機構第一連結部及び前記第三機構フレーム側ガイド部は、前記第三機構第二連結部及び前記第三機構第一支持部側ガイド部に対して同方向にそれぞれ位置付けられ、
前記第三パンタグラフ機構のうちの一つは、前記第三機構第二連結部が前記第三機構フレーム側ガイド部に対して前記第三方向の側にあり、前記第三パンタグラフ機構のうちの他の一つは、前記第三機構第二連結部が前記第三機構フレーム側ガイド部に対して前記第四方向の側にあり、
少なくとも一つの前記第二パンタグラフ機構は、前記第五方向と前記第六方向において前記第三パンタグラフ機構に挟まれた位置に備えられたことを特徴とする請求項９に記載の簡易設置型表示装置。
【請求項１３】
前記フレームにおける前記第五方向と前記第六方向とを結ぶ方向の寸法の少なくとも一部の寸法は、前記伸縮機構部の前記第五方向と前記第六方向とを結ぶ方向の寸法よりも大きいことを特徴とする請求項１から１２のいずれかに記載の簡易設置型表示装置。
【請求項１４】
前記フレームの重量は、前記第一支持部及び前記伸縮機構部を加えた重量よりも大きいことを特徴とする請求項１から１３のいずれかに記載の簡易設置型表示装置。
【請求項１５】
牽引車によって牽引される第一移動ユニットに対して着脱自在であり、前記第一移動ユニットに取り付けられたときに前記牽引車によって移動可能であることを特徴とする請求項１から１４のいずれかに記載の簡易設置型表示装置。
【請求項１６】
牽引車によって牽引される第二移動ユニットが一体的に形成され、前記牽引車によって移動可能であることを特徴とする請求項１から１４のいずれかに記載の簡易設置型表示装置。
【発明の詳細な説明】
【技術分野】
【０００１】
本発明は、簡易設置型表示装置に関する。
【背景技術】
【０００２】
従来、パンタグラフ機構によってスクリーンを上下方向に伸縮する表示装置が知られている。例えば、特許文献１に記載のスクリーンは、スクリーン本体の対向する一対の端部に沿ってそれぞれ延出し、一対の端部をそれぞれ支持するベース体及び補助支持体と、ベース体及び前記補助支持体に跨って配設され、ベース体及び補助支持体を近接隔離するパンタグラフ機構が備えられている。パンタグラフ機構は、アームが回動可能に連結され、アームが回動することにより補助支持体が上下方向に伸縮してスクリーンを伸縮するものである。
【先行技術文献】
【特許文献】
【０００３】
【特許文献１】特開２０１０−７８６８４号公報
【発明の概要】
【発明が解決しようとする課題】
【０００４】
しかしながら、スクリーン本体を支持するベース体はアームをガイドする機能を有するのみの簡易的な支持部材であり、スクリーンの重量が大きくなった場合にスクリーン本体を安定的に支えるには不十分であった。従って、従来のスクリーンは表示サイズの拡張性に制約があった。
【０００５】
本発明の目的は、表示装置を安定的に設置でき、しかも表示範囲の伸縮性に優れた簡易設置型表示装置を提供することである。
【課題を解決するための手段】
【０００６】
本発明に係る簡易設置型表示装置は、フレームと、第一支持部と、伸縮機構部を備え、前記伸縮機構部は、一端が前記フレームに連結され、他端が前記第一支持部に連結され、第一方向と、前記第一方向とは反対方向の第二方向とに移動可能であり、前記フレームは、前記第一方向及び前記第二方向と直交する第三方向と、前記第三方向の反対方向である第四方向に所定の長さを有し、前記フレームは、前記第一方向及び前記第三方向に直交する第五方向と、前記第五方向と反対の方向である第六方向に所定の幅を有し、前記第一支持部は、前記伸縮機構部の動作により前記第一方向と前記第二方向とに移動可能であって、最も前記第一方向の側に移動可能な位置である第一位置と、最も前記第二方向の側に移動可能な位置である第二位置との間を移動可能であり、前記フレームにおいて、前記第一方向の側の端部よりもさらに前記第二方向の側の端を第三位置としたとき、前記第一支持部及び前記フレームにより、前記第一位置と前記第三位置との間で表示可能領域が形成されることを特徴とする。
【０００７】
この場合、第一位置と第二位置との間を移動可能な第一支持部と、第一方向側端部と第一方向側端部よりもさらに第二方向側である第三位置との間の領域を有するフレームとによって表示可能領域が形成されるので、拡張性を有する表示可能領域を形成できる。すなわち、表示可能領域は、伸縮機構部が移動する領域よりもさらにフレームにおける第二方向側の位置まで拡張することができるので、優れた表示可能領域の拡張性を有する。また、伸縮機構部はフレームに連結されるので、フレームが伸縮機構部の動きを安定的に支持することができる。
【０００８】
前記簡易設置型表示装置は、前記第一支持部の前記第三方向の側の端部を伸張する第二支持部と、前記第一支持部の前記第四方向の側の端部を伸張する第三支持部の少なくとも一方を備え、前記第二支持部又は前記第三支持部の少なくとも一方により、前記表示可能領域は、前記第三方向又は前記第四方向の少なくとも一方に拡張して形成されてもよい。
【０００９】
この場合、簡易設置型表示装置は、第一方向及び第二方向と直交する第三方向又は第四方向の少なくとも一方に拡張性を有するので、更に優れた拡張性を有する表示可能領域を形成することができる。
【００１０】
前記簡易設置型表示装置は、前記フレームがフレーム側支持部を備え、前記フレーム側支持部は、前記フレームの前記第一方向の側の端部と前記フレームの前記第二方向の側の端との間の範囲において前記第一方向及び前記第二方向に移動可能であって、前記表示可能領域は前記フレームのうちの前記フレーム側支持部によって形成されてもよい。この場合、簡易設置型表示装置は、フレーム側支持部が第一方向又は第二方向に移動できるので、表示可能領域を調整することができる。
【００１１】
前記簡易設置型表示装置は、前記フレーム側支持部が、前記フレーム側支持部における前記第三方向の側の端部を伸張する第四支持部と、前記第四方向の側の端部を伸張する第五支持部の少なくとも一方を備えてもよい。
【００１２】
この場合、簡易設置型表示装置は、フレーム側支持部において第三方向又は第四方向の少なくとも一方に拡張性を有するので、更に優れた拡張性を有する表示可能領域を形成することができる。
【００１３】
前記簡易設置型表示装置は、表示部材を備え、前記第一支持部及び前記フレームは取付部を備え、前記表示部材は少なくとも前記取付部に取付可能であり、前記表示可能領域の範囲内で表示領域が形成されてもよい。
【００１４】
この場合、表示部材を第一支持部及びフレームに取り付けることにより、優れた拡張性を有する表示領域を形成できる。表示部材のサイズを基に表示領域を選択することができる。また逆に、表示可能領域に合わせて表示部材のサイズを選ぶことができる。
【００１５】
前記簡易設置型表示装置は、前記取付部の少なくとも一部は前記表示部材と着脱可能な取付部材を備え、前記取付部材に所定以上の荷重が加わると前記表示部材が前記取付部から分離してもよい。この場合、仮に強風が吹いたときに表示部材が外れることによって、簡易設置型表示装置の転倒、破損を防止できる。
【００１６】
前記簡易設置型表示装置の前記表示部材は、シート状のスクリーン、又は板状部材であってもよい。この場合、表示目的、用途に応じて表示部材を選択することができる。特に大きなサイズで表示させたい場合は、折り畳み又は巻き取り可能なスクリーン部材を選択することができる。また、定常的に表示させたい場合は、強度や安定性を有する板状部材を選択することができる。
【００１７】
前記簡易設置型表示装置の前記伸縮機構部は第一パンタグラフ機構を備え、前記第一パンタグラフ機構は、前記フレームの前記第一方向の側の端部に備えられた第一連結部及びフレーム側ガイド部と、前記第一支持部に備えられた第二連結部及び第一支持部側ガイド部と、互いに回動可能に連結された少なくとも一対のアームを有し、前記アームのうち、第一アームにおける第一連結部軸は、前記第一連結部で前記フレームに連結され、第一支持部側ガイド部軸は、前記第一支持部側ガイド部で前記第一支持部に係合され、前記アームのうち、第二アームにおけるフレーム側ガイド部軸は、前記フレーム側ガイド部で前記フレームに係合され、前記第一支持部の側の第二連結部軸は、前記第二連結部で前記第一支持部に連結され、前記第一連結部及び前記フレーム側ガイド部は、前記第二連結部及び前記第一支持部側ガイド部に対して同方向にそれぞれ位置付けられ、さらに、前記フレームは、前記第一アーム又は前記第二アームのいずれか一方に連結された押出機構部を備え、前記押出機構部は、前記第一方向と前記第二方向に向いた方向に作動可能な押出部材を備え、前記押出部材が前記第一方向に向いた方向に移動したときに、前記押出機構部に連結された前記第一アーム又は前記第二アームが移動して前記第一支持部を前記第一方向に移動させ、前記押出部材が前記第二方向に向いた方向に移動したときに、前記押出機構部に連結された前記第一アーム又は前記第二アームが移動して前記第一支持部を前記第二方向に移動させ、前記第一支持部が前記第二位置に位置したときに、前記押出部材の一端が前記フレームの前記第一方向の側の端部よりも前記第二方向の側であって、前記フレームの前記第二方向の側の端よりも前記第一方向の側に位置してもよい。
【００１８】
この場合、伸縮機構部はパンタグラフ機構であり、押出機構部に備えられた押出部材を
第一方向に向いた方向に作動させることにより、第一支持部を第一方向に移動させることができる。よって、表示可能領域を拡張させることができる。押出部材を第二方向に向いた方向に作動させることにより、表示可能領域を縮小させることができる。第一支持部が第二位置に位置したときに、押出部材の一端が前記フレームの第一方向の側の端部よりも第二方向の側であって第二方向の側の端よりも第一方向の側に位置する。すなわち押出部材の一端はフレームの内部に収まるので、表示可能領域を縮小させたときもフレームからはみ出すことが無く収納性に優れている。
【００１９】
前記簡易設置型表示装置は、前記伸縮機構部が第二パンタグラフ機構を備え、前記第二パンタグラフ機構は、前記フレームの前記第一方向の側の端部に備えられた第一連結部及びフレーム側ガイド部と、前記第一支持部に備えられた第二連結部及び第一支持部側ガイド部と、互いに回動可能に連結された少なくとも一対のアームを有し、前記アームのうち、第一アームにおける第一連結部軸は、前記第一連結部で前記フレームに連結され、第一支持部側ガイド部軸は、前記第一支持部側ガイド部で前記第一支持部に係合され、前記アームのうち、第二アームにおけるフレーム側ガイド部軸は、前記フレーム側ガイド部で前記フレームに係合され、前記第一支持部の側の第二連結部軸は、前記第二連結部で前記第一支持部に連結され、前記第一連結部及び前記フレーム側ガイド部は、前記第二連結部及び前記第一支持部側ガイド部に対して同方向にそれぞれ位置付けられ、さらに、前記フレームにおける前記第一方向の側の端部に設けられ、前記フレーム側ガイド部に係合する前記フレーム側ガイド部軸を前記フレーム側ガイド部に沿って移動させる端部移動機構を備え、前記端部移動機構における端部移動部材が、前記第三方向に移動したときに前記アームが回動して前記第一支持部が前記第一方向に移動し、前記端部移動部材が、前記第四方向に移動したときに前記アームが回動して前記第一支持部が前記第二方向に移動してもよい。
【００２０】
この場合、伸縮機構部はパンタグラフ機構であり、端部移動部材を第三方向に移動させることでアームが回動して第一支持部が第一方向に移動し、端部移動部材を第四方向に移動させたときにアームが回動して第一支持部が第二方向に移動する。よって、端部移動部材を移動させることで容易に伸縮機構を伸縮させることができる。例えば、伸縮機構が上下方向に移動する構成であれば、端部移動部材を水平方向に移動させることになるので作業をしやすい。
【００２１】
前記簡易設置型表示装置は、前記伸縮機構部が少なくとも二つの第三パンタグラフ機構を備え、前記第三パンタグラフ機構は、前記フレームの前記第一方向の側の端部に備えられた第三機構第一連結部及び第三機構フレーム側ガイド部と、前記第一支持部に備えられた第三機構第二連結部及び第三機構第一支持部側ガイド部と、回動可能に連結された少なくとも一対の第三機構アームを有し、前記第三機構アームのうち、第三機構第一アームにおける第三機構第一連結部軸は、前記第三機構第一連結部で前記フレームに連結され、第三機構第一支持部側ガイド部軸は、前記第三機構第一支持部側ガイド部で前記第一支持部に係合され、前記第三機構アームのうち、第三機構第二アームにおける第三機構フレーム側ガイド部軸は、前記第三機構フレーム側ガイド部で前記フレームに係合され、前記第一支持部の側の第三機構第二連結部軸は、前記第三機構第二連結部で前記第一支持部に連結され、前記第三機構第一連結部及び前記第三機構フレーム側ガイド部は、前記第三機構第二連結部及び前記第三機構第一支持部側ガイド部に対して同方向にそれぞれ位置付けられ、前記第三パンタグラフ機構のうちの一つは、前記第三機構第二連結部が前記第三機構フレーム側ガイド部に対して前記第三方向の側にあり、前記第三パンタグラフ機構のうちの他の一つは、前記第三機構第二連結部が前記第三機構フレーム側ガイド部に対して前記第四方向の側にあり、さらに、前記フレームは第三押出機構部を備え、前記第三押出機構部は、前記第一方向と前記第二方向に作動可能な第三押出部材を備え、前記第三押出部材が前記第一方向に移動したときに、前記第三押出機構部に接触する前記第一支持部を前記第一方向に移動させ、前記第三押出部材が前記第二方向に移動したときに、前記第三押出機構部に接触する前記第一支持部を前記第二方向に移動させ、前記第一支持部が前記第二位置に位置したときに、前記第三押出部材の一端が前記フレームの前記第一方向の側の端部よりも前記第二方向の側であって、前記フレームの前記第二方向の側の端よりも前記第一方向の側に位置してもよい。
【００２２】
この場合、少なくとも二つの第三パンタグラフ機構を備えるので、第一支持部を安定的に第一方向及び第二方向に移動させることができる。パンタグラフ機構のうちの一つは、第三機構第二連結部が第三機構フレーム側ガイド部に対して第三方向の側にあり、第三パンタグラフ機構のうちの他の一つは、第三機構第二連結部が第三機構フレーム側ガイド部に対して第四方向の側にある。すなわち、第一支持部に連結された少なくとも二つの第三機構第二連結部が、第一支持部の第三方向の側と第四方向の側にそれぞれ位置するので、第一支持部が安定して支持される。また、第三押出機構部に備えられた第三押出部材を第一方向又は第二方向に移動させることにより、表示可能領域を拡張するか或いは縮小することができる。さらに、第一支持部が第二位置に位置したときに、第三押出部材の一端がフレームの第一方向の側の端部よりも第二方向の側であって、フレームの第二方向の側の端よりも第一方向の側に位置する。よって、表示可能領域を縮小させたときにフレームから第三押出部材がはみ出すことがないので収納性に優れる。
【００２３】
前記簡易設置型表示装置は、前記伸縮機構部が少なくとも二つの第三パンタグラフ機構と少なくとも一つの前記第一パンタグラフ機構を備え、前記第三パンタグラフ機構は、前記フレームの前記第一方向の側の端部に備えられた第三機構第一連結部及び第三機構フレーム側ガイド部と、前記第一支持部に備えられた第三機構第二連結部及び第三機構第一支持部側ガイド部と、回動可能に連結された少なくとも一対の第三機構アームを有し、前記第三機構アームのうち、第三機構第一アームにおける第三機構第一連結部軸は、前記第三機構第一連結部で前記フレームに連結され、第三機構第一支持部側ガイド部軸は、前記第三機構第一支持部側ガイド部で前記第一支持部に係合され、前記第三機構アームのうち、第三機構第二アームにおける第三機構フレーム側ガイド部軸は、前記第三機構フレーム側ガイド部で前記フレームに係合され、前記第一支持部の側の第三機構第二連結部軸は、前記第三機構第二連結部で前記第一支持部に連結され、前記第三機構第一連結部及び前記第三機構フレーム側ガイド部は、前記第三機構第二連結部及び前記第三機構第一支持部側ガイド部に対して同方向にそれぞれ位置付けられ、前記第三パンタグラフ機構のうちの一つは、前記第三機構第二連結部が前記第三機構フレーム側ガイド部に対して前記第三方向の側にあり、前記第三パンタグラフ機構のうちの他の一つは、前記第三機構第二連結部が前記第三機構フレーム側ガイド部に対して前記第四方向の側にあり、少なくとも一つの前記第一パンタグラフ機構は、前記第五方向と前記第六方向において前記第三パンタグラフ機構に挟まれた位置に備えられてもよい。
【００２４】
この場合、少なくとも二つの第三パンタグラフ機構と少なくとも一つの第一パンタグラフ機構を備えるので、第一支持部を安定的に第一方向及び第二方向に移動させることができる。第三パンタグラフ機構のうちの一つは、第三機構第二連結部が第三機構フレーム側ガイド部に対して第三方向の側にあり、第三パンタグラフ機構のうちの他の一つは、第三機構第二連結部が第三機構フレーム側ガイド部に対して第四方向の側にある。すなわち、第一支持部に連結された少なくとも二つの第三機構第二連結部が、第一支持部の第三方向の側と第四方向の側にそれぞれ位置するので、第一支持部が安定して支持される。また、少なくとも二つの第三パンタグラフ機構の間に第一パンタグラフ機構が備えられ、第一パンタグラフ機構によって第一支持部が第一方向及び第二方向に移動される。よって、第一支持部を安定して第一方向及び第二方向に移動させることができる。
【００２５】
前記簡易設置型表示装置は、前記伸縮機構部は、少なくとも二つの第三パンタグラフ機構と少なくとも一つの前記第二パンタグラフ機構を備え、前記第三パンタグラフ機構は、前記フレームの前記第一方向の側の端部に備えられた第三機構第一連結部及び第三機構フレーム側ガイド部と、前記第一支持部に備えられた第三機構第二連結部及び第三機構第一支持部側ガイド部と、回動可能に連結された少なくとも一対の第三機構アームを有し、前記第三機構アームのうち、第三機構第一アームにおける第三機構第一連結部軸は、前記第三機構第一連結部で前記フレームに連結され、第三機構第一支持部側ガイド部軸は、前記第三機構第一支持部側ガイド部で前記第一支持部に係合され、前記第三機構アームのうち、第三機構第二アームにおける第三機構フレーム側ガイド部軸は、前記第三機構フレーム側ガイド部で前記フレームに係合され、前記第一支持部の側の第三機構第二連結部軸は、前記第三機構第二連結部で前記第一支持部に連結され、前記第三機構第一連結部及び前記第三機構フレーム側ガイド部は、前記第三機構第二連結部及び前記第三機構第一支持部側ガイド部に対して同方向にそれぞれ位置付けられ、前記第三パンタグラフ機構のうちの一つは、前記第三機構第二連結部が前記第三機構フレーム側ガイド部に対して前記第三方向の側にあり、前記第三パンタグラフ機構のうちの他の一つは、前記第三機構第二連結部が前記第三機構フレーム側ガイド部に対して前記第四方向の側にあり、少なくとも一つの前記第二パンタグラフ機構は、前記第五方向と前記第六方向において前記第三パンタグラフ機構に挟まれた位置に備えられてもよい。
【００２６】
この場合、少なくとも二つの第三パンタグラフ機構と少なくとも一つの第二パンタグラフ機構を備えるので、第一支持部を安定的に第一方向及び第二方向に移動させることができる。第三パンタグラフ機構のうちの一つは、第三機構第二連結部が第三機構フレーム側ガイド部に対して第三方向の側にあり、第三パンタグラフ機構のうちの他の一つは、第三機構第二連結部が第三機構フレーム側ガイド部に対して第四方向の側にある。すなわち、第一支持部に連結された少なくとも二つの第三機構第二連結部が、第一支持部の第三方向の側と第四方向の側にそれぞれ位置するので、第一支持部が安定して支持される。また、少なくとも二つの第三パンタグラフ機構の間に第二パンタグラフ機構が備えられ、第二パンタグラフ機構によって第一支持部が第一方向及び第二方向に移動される。よって、第一支持部を安定して第一方向及び第二方向に移動させることができる。
【００２７】
簡易設置型表示装置は、前記フレームにおける前記第五方向と前記第六方向とを結ぶ方向の寸法の少なくとも一部の寸法は、前記伸縮機構部の前記第五方向と前記第六方向とを結ぶ方向の寸法よりも大きくてもよい。
【００２８】
この場合、第五方向と第六方向とを結ぶ方向において、フレームの少なくとも一部の寸法が伸縮機構部の寸法よりも大きいので、フレーム下端の側が大地に設置され、風を受けたときにおいても安定する。
【００２９】
前記簡易設置型表示装置は、前記フレームの重量が、前記第一支持部及び前記伸縮機構部を加えた重量より大きくてもよい。この場合、フレーム下端の側が大地に設置され、風を受けたときにおいても安定する。
【００３０】
前記簡易設置型表示装置は、牽引車によって牽引される第一移動ユニットに対して着脱自在であり、前記第一移動ユニットに取り付けられたときに前記牽引車によって移動可能であってもよい。この場合、簡易設置型表示装置は牽引車によって移動可能であり、設置場所において移動ユニットから外して設置することができる。設置場所の自由度が大きく、一時的に表示装置を設置することが可能である。
【００３１】
前記簡易設置型表示装置は、牽引車によって牽引される第二移動ユニットが一体的に形成され、前記牽引車によって移動可能であってもよい。この場合、簡易設置型表示装置は牽引車によって移動可能であり、設置場所にそのまま設置することができる。設置場所の自由度が大きく、一時的に表示装置を設置することが可能である。さらに、簡易設置型表示装置は移動広告用として使用できる。
【図面の簡単な説明】
【００３２】
【図１】簡易設置型表示装置１（１Ａ）を示した正面図である。
【図２】簡易設置型表示装置１（１Ａ）を示した斜視図である。
【図３】表示可能領域３６を示した図であり、（ａ）は最大表示可能領域を示した図であり、（ｂ）は（ａ）の状態に対してフレーム側支持部２５を第一方向に移動させた状態の表示可能領域３６を示した図である。
【図４】表示可能領域３６を示した図であり、（ａ）は第一支持部１３を最も第二方向の側へ移動させた状態の表示可能領域３６を示した図であり、（ｂ）は（ａ）の状態に対して第二支持部１４、第三支持部１５、第四支持部１６、第五支持部１７を収納した状態の表示可能領域３６を示した図である。
【図５】図１におけるＢ部詳細図であり、パンタグラフ機構２の一部を示した図である。
【図６】（ａ）は、図１におけるＧ視図であり、（ｂ）はＭ視図である。
【図７】（ａ）は、図１におけるＦ視図であり、（ｂ）はＮ視図である。
【図８】（ａ）は、図１におけるＨ視図であり、（ｂ）は断面Ｐ−Ｐである。
【図９】（ａ）は、図１におけるＥ視図であり、（ｂ）はＱ視図である。
【図１０】図１におけるＪ部詳細図であり、上下方向作動ユニット２４を示した図である。
【図１１】図１０における上下方向作動ユニット２４を拡大した図であり、（ａ）は図６におけるＲ部詳細図であり、（ｂ）は断面Ｔ−Ｔを示した図である。
【図１２】図１０における上下方向作動ユニット２４を拡大した図であり、（ａ）は図６におけるＳ部詳細図であり、（ｂ）は断面Ｕ−Ｕを示した図である。
【図１３】図１におけるＡ部詳細図であり、サイド支持軸２０を示した図である。
【図１４】フレームスライド部３５を示した図であり、（ａ）は図１におけるＣ−Ｃ断面図において第五支持部１７が開いた状態を示した図であり、（ｂ）はＶ視図である。
【図１５】フレームスライド部３５を示した図であり、（ａ）は図１におけるＣ−Ｃ断面図において第五支持部１７が閉じた状態を示した図であり、（ｂ）はＷ視図である。
【図１６】第三支持部１５と第一支持部蝶番１９を示した図であって第三支持部１５が開いた状態を示した図であり、（ａ）は図１におけるＤ視図であり、（ｂ）はＸ視図である。
【図１７】第三支持部１５と第一支持部蝶番１９を示した図であって第三支持部１５が閉じた状態を示した図であり、（ａ）は図１におけるＤ視図であり、（ｂ）はＹ視図である。
【図１８】図１におけるＫ視図であり、（ａ）はスクリーン３２または板状部材３７が表示部材取付部３０、３１に取付けられる状態を示した図であり、（ｂ）はスクリーン３２または板状部材３７が表示部材取付部３０、３１に取付けられた状態を示した図であり、（ｃ）は強風時にスクリーン３２が表示部材取付部３０、３１から外れた状態を示した図であり、（ｄ）は強風時に板状部材３７が表示部材取付部３０、３１から外れた状態を示した図である。
【図１９】図１８（ｂ）のＺ部詳細図であり、（ａ）はスクリーン３２又は板状部材３７が、マグネット１５０Ａ、１５０Ｂ、１５１Ａ、１５１Ｂによって取付けられた状態を示した図であり、（ｂ）はスクリーン３２又は板状部材３７が、面ファスナー１５３Ａ、１５３Ｂ、１５４Ａ、１５４Ｂによって取付けられた状態を示した図であり、（ｃ）はスクリーン３２又は板状部材３７が、バネフック１５５、１５６によって取付けられた状態を示した図である。
【図２０】簡易設置型表示装置１とトレーラー２４０及び牽引車２４３との関係を示した図であり、（ａ）は簡易設置型表示装置１がトレーラー２４０に載置され、牽引車２４３に接続された状態を示した図であり、（ｂ）は簡易設置型表示装置１がトレーラー２４０から取り外されて大地に仮置きされた状態を示した図であり、（ｃ）は簡易設置型表示装置１が大地に設置された状態を示した図である。
【図２１】一体型トレーラー２４４と牽引車２４３との関係を示した図であり、（ａ）は一体型トレーラー２４４と牽引車２４３が接続された状態を示した図であり、（ｂ）は一体型トレーラー２４４が牽引車２４３から切り離された状態を示した図である。
【図２２】簡易設置型表示装置１（１Ａ）の設置手順を示した図であり、（ａ）はトレーラー２４０から簡易設置型表示装置１（１Ａ）を取り外し、脚２１を取り付けた状態を示し、（ｂ）は第一の工程を示した図である。
【図２３】簡易設置型表示装置１（１Ａ）の設置手順を示した図であり、（ｃ）は第二の工程を示し、（ｄ）は第三の工程を示した図である。
【図２４】簡易設置型表示装置１（１Ｂ）を示した正面図である。
【図２５】簡易設置型表示装置１（１Ｂ）を示した図であり、（ａ）は斜視図であり、（ｂ）は、ＡＤ部詳細図である。
【図２６】図２４におけるＡＢ部詳細図である。
【図２７】（ａ）は、図２４におけるＡＣ視図であり、（ｂ）は断面ＡＦ−ＡＦ、（ｃ）は断面ＡＥ−ＡＥを示す。
【図２８】簡易設置型表示装置２４９を示した図であり、（ａ）は正面図であり、（ｂ）は平面図である。
【図２９】簡易設置型表示装置２５９を示した図であり、（ａ）は正面図であり、（ｂ）は平面図である。
【発明を実施するための形態】
【００３３】
以下、図面を参照し、本発明の第一の実施形態である簡易設置型表示装置１（以下第一実施形態における簡易設置型表示装置を１Ａということがある）を具体化した実施の形態について説明する。なお、参照する図面は、本発明を採用しうる技術的特徴を説明するために用いられるものであり、それのみに限定するものでは無い。
【００３４】
図１から図２１は第一の実施形態を示した図である。図１〜図４を参照して、簡易設置型表示装置１（１Ａ）の概略構成を説明する。簡易設置型表示装置１（１Ａ）は、伸縮機構部２２であるパンタグラフ機構２とフレーム３と第一支持部１３を備えている。図１において紙面に向かって上方向が第一方向、下方向が第二方向、左方向が第三方向、右方向が第四方向を示す。第一方向と第二方向とが高さ方向を示し、第三方向と第四方向が長手方向を示す。また、図２に示すように、第一方向及び第三方向に直交する方向の一方が第五方向であり、第五方向の反対方向が第六方向を示す。第五方向と第六方向は、幅方向を示す。第五方向と第六方向は、図２においては紙面に向かって右方向が第六方向で、左方向が第五方向である。
【００３５】
図１は、一例としてフレーム下４を土台として大地に設置した状態を示す。フレーム下４は下部に脚２１を４カ所備える。図１は脚２１が２カ所のみ示されているが、第五方向側の２カ所に脚２１が設けられている。フレーム下４の第一方向側にフレーム３が一体に形成されている。フレーム３の第二方向の側の端には、フレーム下端２９が備えられている。フレーム３にはフレーム側支持部２５が備えられ、フレーム支柱２６とフレーム支柱２７に沿って第一方向と第二方向に移動可能である。フレーム側支持部２５の第三方向側には第四支持部１６が備えられ、第四方向側には第五支持部１７が備えられている。図２に示すように、第四支持部１６はフレーム蝶番１８にて矢印４０のように移動可能である。第五支持部１７は、フレーム蝶番１８にて矢印４１のように移動可能である。
【００３６】
図２に示すように、フレーム下４は、長手方向の寸法が長さ寸法ＦＬであり、幅方向の寸法が幅寸法ＦＷである。フレーム３は長手方向の寸法はフレーム下４とほぼ同じ寸法のＦＬであり、幅方向の寸法はＦＷよりも小さい。なお、簡易設置型表示装置１（１Ａ）は、フレーム下４を土台として大地に設置する場合に限らない。例えば第一方向と第二方向を大地と水平の方向にして使用することも可能である。また、或いは、フレーム３の第三方向側を大地と水平にして使用することも可能であり、フレーム３の第四方向側を大地と水平にして使用することも可能である。
【００３７】
フレーム３の第一方向側にはフレーム上端２８が備えられ、フレーム上端２８にパンタグラフ機構２が設けられている。図１及び図２に示すように、パンタグラフ機構２は、第二アーム６が二本の第一アーム５に挟まれ、回動軸２３によって回動可能に連結されている。第一アーム５は、第一連結部７にてフレーム３のフレーム上端２８と回動可能に連結され、第一支持部側ガイド部８にて第一支持部１３とスライド可能に係合している。第二アーム６は、フレーム側ガイド部９にてフレーム３とスライド可能に係合し、第二連結部１０にて第一支持部１３と回動可能に連結している。第一支持部１３の第三方向側には第二支持部１４が備えられ、第四方向側には第三支持部１５が備えられている。第二支持部１４は、第一支持部蝶番１９にて矢印３８のように移動可能である。第三支持部１５は、第一支持部蝶番１９にて矢印３９のように移動可能である。パンタグラフ機構２の幅寸法ＰＷはフレーム下４の幅寸法ＦＷよりも小さい。
【００３８】
図１及び図２に示すように、パンタグラフ機構２は、上下方向作動ユニット２４を備える。上下方向作動ユニット２４の一端は、第二アーム６の回動軸近傍に連結され、他端はフレーム３のフレーム上端２８に連結されている。なお、上下方向作動ユニット２４の一端は、第一アーム５の回動軸近傍に連結されても良い。フレーム上端２８には、第三方向側と第四方向側にそれぞれサイド支持軸２０の一端が備えられる。サイド支持軸２０の他端側は、第二支持部１４及び第三支持部１５に係合して第二支持部１４及び第三支持部１５を支える。
【００３９】
図１及び図２に示すように、第一支持部１３、第二支持部１４、第三支持部１５、第四支持部１６，第五支持部１７、及びフレーム側支持部２５には表示部材取付部３０、３１が備えられている。一例として、第一支持部１３には３カ所、第二支持部１４、第三支持部１５、第四支持部１６、第五支持部１７にはそれぞれ１カ所、フレーム側支持部２５には３カ所の表示部材取付部３０、３１が取り付けられている。スクリーン３２又は板状部材３７が表示部材取付部３０、３１に取付られて表示領域４２が形成される。
【００４０】
図３及び図４を参照して、表示可能領域３６について説明する。図３（ａ）は、表示可能領域３６が最大になった状態を示す。第二支持部１４は第三方向に伸び、第三支持部１５は第四方向に伸びている。第一支持部１３はパンタグラフ機構２が最も第一方向へ拡張した状態である第一位置ＴＰにあり、フレーム側支持部２５は最も第二方向側へ移動した状態である第三位置ＢＰにある。このとき、高さ方向寸法ＤＨＡが最大となり、長手方向寸法ＤＬＡが最大となる。図３（ｂ）は図３（ａ）に対して、フレーム側支持部２５が第一方向側へ移動して高さ方向寸法ＤＨＡが短くなった状態を示す。
【００４１】
図４（ｃ）は、図３（ａ）の状態に対してパンタグラフ機構２が縮小して第一支持部１３が最も第二方向側へ移動した第二位置ＬＰにある。表示可能領域３６は、図３（ａ）に比べて高さ方向が短くなるとともに、表示可能領域３６が全体的に第二方向側へ移動する。図４（ｄ）は、図４（ｃ）に対してさらに第二支持部１４、第三支持部１５、第四支持部１６、第五支持部１７が収納された状態である。また、表示部材取付部４５がフレーム上端２８に備えられた例を示す。この場合、表示可能領域３６は最も小さくなるが、パンタグラフ機構２を拡張したり、第二支持部１４、第三支持部１５、第四支持部１６及び第五支持部１７を伸ばさなくても形成できる表示可能範囲である。表示可能領域３６に広告表示をして牽引車２４３によって牽引することで、移動広告塔のような広告効果を出すことができる。
【００４２】
次に、第一の実施形態における簡易設置型表示装置１（１Ａ）の各要素を詳細に説明する。図５は図１におけるＢ部詳細図であり、パンタグラフ機構２を示した図である。第一連結部プレート１１５は、取付部５４にてフレーム上端２８に取り付けられている。第一支持部側ガイド部プレート６０は、取付部５２及び取付部５９にて第一支持部１３に取り付けられている。第一支持部側ガイド部プレート６０には、ガイド溝５７が設けられている。フレーム側ガイド部プレート６１は、取付部５５及び取付部５６にてフレーム上端２８に取り付けられている。フレーム側ガイド部プレート６１には、ガイド溝５８が設けられている。第二連結部プレート１０５は、取付部５３にて第一支持部１３に取り付けられている。
【００４３】
図６（ａ）は、図１におけるＧ視図である。図６（ｂ）は、Ｍ視図である。図５及び図６に示すように、２つの第一連結部７は、それぞれ３カ所のネジ１１７によってフレーム上端２８に取り付けられた第一連結部プレート１１５と第一連結部軸１１からなる。第一連結部７において、第一アーム５のフレーム側端部４８と第一連結部プレート１１５とが第一連結部軸１１を介して回動可能に連結されている。第一連結部軸１１は、一端が段部１１４であり、他端はネジが設けられてダブルナット１１２が取り付けられ、段部１１４とダブルナット１１２によって第一連結部プレート１１５と第一アーム５を挟んでいる。
【００４４】
図７（ａ）は、図１におけるＦ視図である。図７（ｂ）はＮ視図である。図７に示すように、２つの第一支持部側ガイド部８は、それぞれ３カ所のネジ１１３によって第一支持部１３に取り付けられた第一支持部側ガイド部プレート６０と第一支持部側ガイド部軸４３からなる。第一支持部側ガイド部８にて、第一アーム５の第一支持部側端部４９と第一支持部側ガイド部プレート６０とが第一支持部側ガイド部軸４３を介して第三方向及び第四方向にスライド可能に係合する。第一支持部側ガイド部軸４３は、一端が段部１１４であり、他端はネジが設けられてダブルナット１１２が取り付けられ、段部１１４とダブルナット１１２によって第一支持部側ガイド部プレート６０と第一アーム５を挟んでいる。
【００４５】
図８（ａ）は、図１におけるＨ視図である。図８（ｂ）は、断面Ｐ−Ｐである。図８に示すように、フレーム側ガイド部９は、３カ所のネジ１２８によってフレーム上端２８に取付られたフレーム側ガイド部プレート６１とフレーム側ガイド部軸４４からなる。フレーム側ガイド部９にて、第二アーム６のフレーム側端部５０とフレーム側ガイド部プレート６１とがフレーム側ガイド部軸４４を介して第三方向及び第四方向にスライド可能に係合する。フレーム側ガイド部軸４４は、一端が段部１０９であり、他端はネジが設けられてダブルナット１０７が取り付けられ、段部１０９とダブルナット１０７によってフレーム側ガイド部プレート６１と第二アーム６を挟んでいる。
【００４６】
図９（ａ）は、図１におけるＥ視図である。図９（ｂ）は、Ｑ視図である。図９に示すように、第二連結部１０は、３カ所のネジ１０８によって第一支持部１３に取付けられた第二連結部プレート１０５と第二連結部軸１２からなる。第二連結部１０において、第二アーム６の第一支持部側端部５１と第二連結部プレート１０５とが第二連結部軸１２を介して回動可能に連結されている。第二連結部軸１２は、一端が段部１０９であり、他端はネジが設けられてダブルナット１０７が取り付けられ、段部１０９とダブルナット１０７によって第二連結部プレート１０５と第二アーム６を挟んでいる。
【００４７】
図１０は、図１におけるＪ部詳細図である。Ｊ部は、上下方向作動ユニット２４を示した図である。図１０、図１１、及び図１２を参照して、上下方向作動ユニット２４を説明する。図１１（ａ）は、図１０におけるＲ部詳細図であり、図１１（ｂ）は、断面Ｔ−Ｔである。図１０及び図１１に示すように、上下方向作動バー支持ブラケット上６６が４カ所のネジ６２及びナット６３によって第二アーム６に取付けられている。上下方向作動バー支持ブラケット上６６はコの字形状であり、上下方向作動バー軸上６７を介して上下方向作動バー軸板上７０と回動可能に連結されている。上下方向作動バー軸上６７は、上下方向作動バー軸上段部７２と上下方向作動バー支持ブラケット上６６との間、上下方向作動バー支持ブラケット上６６と上下方向作動バー軸板上７０との間、及び上下方向作動バー支持ブラケット上６６とダブルナット６４との間にスラストベアリング６９が挟まれている。上下方向作動バー支持ブラケット上６６と上下方向作動バー軸板上７０とがスムーズに回動するためである。なお、スラストベアリング６９の代わりにスラストワッシャーを用いても良い。
【００４８】
図１１（ａ）及び図１１（ｂ）に示すように、上下方向作動バーネジ７１は、上下方向作動バー軸板上７０にスラストベアリング６９を挟んで二つのダブルナット６８に挟まれて取り付けられている。上下方向作動バーネジ７１は、スラストベアリング６９にて上下方向作動バー軸板上７０との間で滑りが発生するので、回転することができる。なお、スラストベアリング６９の代わりにスラストワッシャーを用いても良い。
【００４９】
図１２（ａ）は、図１０におけるＳ部詳細図である。図１２（ｂ）は、断面Ｕ−Ｕである。図１０及び図１２に示すように、上下方向作動バー支持ブラケット下７６は、ネジ７８によってフレーム上端２８の第二方向側に取り付けられている。図１２（ｂ）に示すように、上下方向作動バー軸板下７３は、上下方向作動バー軸下７５を介して上下方向作動バー支持ブラケット下７６と回動可能に連結されている。上下方向作動バー軸板下７３は、２カ所で上下方向作動バー軸下段部８１とダブルナット７９に挟まれて連結されている。上下方向作動バー軸下段部８１と上下方向作動バー支持ブラケット下７６との間と、上下方向作動バー軸板下７３と上下方向作動バー支持ブラケット下７６との間、及び上下方向作動バー軸板下７３とダブルナット７９との間にスラストベアリング６９が挟まれている。上下方向作動バー軸板下７３と上下方向作動バー支持ブラケット下７６とがスムーズに回動するためである。なお、スラストベアリング６９の代わりにスラストワッシャーを用いても良い。
【００５０】
図１２（ｂ）に示すように、二つの上下方向作動バー軸下７５が挟むように上下方向作動バーネジ７１が設けられている。ナットホルダ７４がネジ７８によって上下方向作動バー軸板下７３に取り付けられている。ナットホルダ７４は上下方向作動バーネジ７１と螺合しており、上下方向作動バーネジ７１を回転させると、ナットホルダ７４と上下方向作動バーネジ７１とは相対的に移動する。上下方向作動バーネジ７１の先端には、ナット７７が溶接されている。この場合、上下方向作動バーネジ７１をネジが進む方向に回転させると、上下方向作動バーネジ７１はナットホルダ７４に対して第一方向の方向に所定の角度をもって移動する。上下方向作動バーネジ７１が第一方向に向かって移動すると上下方向作動バー軸上６７が上下方向作動バー支持ブラケット上６６を介して第二アーム６を第一方向に押し上げる。第二アーム６が第一方向に移動するのに伴い、上下方向作動バーネジ７１は傾きが変化する。上下方向作動バーネジ７１の傾きが変化するのに伴って、上下方向作動バー支持ブラケット上６６と上下方向作動バー軸板上７０、及び上下方向作動バー軸板下７３と上下方向作動バー支持ブラケット下７６とが回転して調整される。上下方向作動バーネジ７１を回転させるための道具の例として、一般的な電動レンチを使用する。上下方向作動バーネジ７１の先端に溶接されたナット７７を電動レンチを用いて回転させることで上下方向作動ユニット２４を作動させる。
【００５１】
図１３は、図１におけるＡ部詳細図であり、サイド支持軸２０を説明した図である。図１３は、第三方向側のみを示しているが、第四方向側も同様である。サイド支持軸２０は、フレーム３のフレーム支柱２６とフレーム上端２８にまたがって取り付けられたサイド取付部９０に取り付けられている。サイド支持軸２０は、円環状のサイド軸パイプ９１の内部にサイド作動ネジ８７を備える。サイド軸パイプ９１の下端部には固定ナット８８が溶接されている。サイド作動ネジ８７の先端にはダブルナット８９が取り付けられている。ダブルナット８９よりも更に先端に飛び出したサイド作動ネジ８７がサイド取付部９０に挿入される。サイド軸パイプ９１の上端部にはサイド軸スナップフック８６が取り付けられている。サイド軸スナップフック８６は、第一支持部１３に取り付けられたサイド支持軸取付部８５に引っ掛けられる。パンタグラフ機構２が第一方向に上昇した後に第一支持部１３を支持するためである。
【００５２】
サイド作動ネジ８７は、固定ナット８８に螺合してサイド軸パイプ９１の内部に挿入されている。サイド作動ネジ８７の先端は、Ｌ１の範囲内でサイド軸パイプ９１を移動可能である。サイド作動ネジ８７は、ネジが進む方向に回転させれば、サイド軸パイプ９１の内部に侵入してサイド支持軸２０の長さが短くなる。サイド作動ネジ８７は、ネジが後退する方向に回転させれば、サイド支持軸２０の長さが長くなる。第一支持部１３が第一方向に移動した状態に応じてサイド支持軸２０の長さを調節することができる。
【００５３】
図１４（ａ）は、図１における断面Ｃ−Ｃであり、フレーム支柱２７に沿ってフレーム側支持部２５を第一方向又は第二方向に移動させるフレームスライド部３５と第五支持部１７を示した図である。図１４（ｂ）は、Ｖ視図を示す。図１４は、フレームスライド部３５と第五支持部１７を示すが、フレームスライド部３４と第四支持部１６も同様の構成である。フレームスライド部３５は、フレーム支柱２７を覆うようにコの字形状になっており、一方は２つのネジ９９及びナット９７によってフレーム側支持部２５に取り付けられている。フレームスライド部３５の他方は、第五支持部１７に取り付けられた固定ナット１０１と対向する。図１４（ａ）は、第五支持部１７が第四方向に伸びた状態を示している。フレームスライド部３５から固定ナット１０１に対して蝶ネジ９６が締め付けられている。第五支持部１７がフレームスライド部３５に固定され、移動することを防止できる。第五支持部１７を閉じるときは、蝶ネジ９６を外して矢印１０２の方向に回転させる。フレームスライド部３５は、フレーム支柱２７を覆い、蝶ネジ９５によってフレーム支柱２７に固定される。フレームスライド部３５は、第一方向及び第二方向にスライド可能であり、フレーム側支持部２５を必要な位置にスライドした状態で蝶ネジ９５をフレーム支柱２７に締め付ける。
【００５４】
フレーム蝶番１８は、２本のネジ１００とナット９８によってフレーム側支持部２５に締結され、２本のネジ１００とナット９８によって第五支持部１７に締結されている。図１５（ａ）は、図１における断面Ｃ−Ｃであって、フレーム蝶番１８が折り畳まれて第五支持部１７が第三方向側へ閉じた状態を示す。図１５（ｂ）はＷ視図を示す。図１４（ａ）で固定ナット１０１に締結されていた蝶ネジ９６は取り外されている。
【００５５】
図１６（ａ）は、図１におけるＤ視図であり、第一支持部１３に対して第三支持部１５が第四方向に伸びた状態を示す。図１６は第四方向側のみを示しているが、第三方向側における第一支持部１３と第二支持部１４との関係も同様である。図１６（ｂ）は、Ｘ視図を示す。第一支持部蝶番１９は、２つのネジ１００とナット９８によって第一支持部１３に締結され、２つのネジ１００とナット９８によって第三支持部１５に締結されている。第三支持部１５を閉じるときは矢印１０３の方向に回転させる。図１７（ａ）は、図１におけるＤ視図であり、第一支持部蝶番１９が折り畳まれて第三支持部１５が第三方向側へ閉じた状態を示す。図１７（ｂ）は、Ｙ視図である。
【００５６】
図１８は、図１におけるＫ視図であり、表示部材取付部３０、３１にスクリーン３２又は板状部材３７が取り付けられる状態を示す。図１８（ａ）は、スクリーン３２又は板状部材３７が表示部材取付部３０、３１に取り付けられる前の状態を示す。図１８（ｂ）は、スクリーン３２又は板状部材３７が表示部材取付部３０、３１に取り付けられた状態を示す。図１８（ｃ）は、強風が吹いたときに表示部材取付部３０、３１からスクリーン３２が外れた状態を示す。図１８（ｄ）は、強風が吹いたときに表示部材取付部３０、３１から板状部材３７が外れた状態を示す。
【００５７】
図１９は、図１８におけるＺ部詳細図である。図１９（ａ）は、表示部材取付部３０にマグネット１５０Ａが、表示部材取付部３１にマグネット１５１Ａが取り付けられ、スクリーン３２または板状部材３７にマグネット１５０Ｂ、１５１Ｂが取り付けられている。表示部材取付部３０において、マグネット１５０Ａと１５０Ｂとが引き合ってくっついており、表示部材取付部３１において、マグネット１５１Ａと１５１Ｂとが引き合ってくっついている。マグネットは所定以上の荷重が加わると離れる性質があるので、強風にさらされるとマグネット１５０Ａと１５０Ｂ、及びマグネット１５１Ａと１５１Ｂとが離れてスクリーン３２又は板状部材３７が表示部材取付部３０、３１から外れる。スクリーン３２または板状部材３７が強風にさらされたとき、スクリーン３２または板状部材３７が強風にあおられて簡易設置型表示装置１が転倒する等の事故を防ぐことを目的とする。マグネット１５０Ａと１５０Ｂ、及びマグネット１５１Ａと１５１Ｂとの吸引力は、スクリーン３２又は板状部材３７の重量、簡易設置型表示装置１が耐えられる風の強さ等を考慮して設定され、適切なマグネットが使用される。
【００５８】
図１９（ｂ）は、表示部材取付部３０に面ファスナー１５３Ａが、表示部材取付部３１に面ファスナー１５４Ａが取り付けられ、スクリーン３２または板状部材３７に面ファスナー１５３Ｂ、１５４Ｂが取り付けられている。表示部材取付部３０において、面ファスナー１５３Ａと１５３Ｂとが絡み合ってくっついており、表示部材取付部３１において、面ファスナー１５４Ａと１５４Ｂとが絡み合ってくっついている。面ファスナーは所定以上の荷重が加わると離れる性質があるので、強風にさらされると面ファスナー１５３Ａと１５３Ｂ、及び面ファスナー１５４Ａと１５４Ｂとが離れてスクリーン３２又は板状部材３７が表示部材取付部３０、３１から外れる。スクリーン３２または板状部材３７が強風にさらされたとき、スクリーン３２または板状部材３７が強風にあおられて簡易設置型表示装置１が転倒する等の事故を防ぐことを目的とする。面ファスナー１５３Ａと１５３Ｂ、及び面ファスナー１５４Ａと１５４Ｂとの吸着力は、スクリーン３２又は板状部材３７の重量、簡易設置型表示装置１が耐えられる風の強さ等を考慮して設定され、適切な面ファスナーが使用される。
【００５９】
図１９（ｃ）は、表示部材取付部３０にバネフック１５５が、表示部材取付部３１にバネフック１５６が取り付けられ、スクリーン３２または板状部材３７に取り付けられたハトメ１５７に係合される。バネフック１５５、１５６は所定以上の荷重が加わると変形するので、強風が吹くとスクリーン３２または板状部材３７に取り付けられたハトメ１５７から外れる。スクリーン３２または板状部材３７が強風にさらされたとき、スクリーン３２または板状部材３７が強風にあおられて簡易設置型表示装置１が転倒する等の事故を防ぐことを目的とする。バネフック１５５、１５６が変形し始める荷重は、スクリーン３２又は板状部材３７の重量、簡易設置型表示装置１が耐えられる風の強さ等を考慮して設定され、適切な強度設計がなされる。
【００６０】
図２０は、簡易設置型表示装置１（１Ａ）とトレーラー２４０及び牽引車２４３との関係を示した図である。なお、後述する簡易設置型表示装置１Ｂ、２４９、２５９、２６０との関係も同様である。図２０（ａ）は簡易設置型表示装置１（１Ａ）がトレーラー２４０に載置され、牽引車２４３に接続された状態を示した図である。図２０（ｂ）は簡易設置型表示装置１がトレーラー２４０から取り外されて大地に仮置きされた状態を示した図である。図２０（ｃ）は簡易設置型表示装置１（１Ａ）が大地に設置された状態を示した図である。簡易設置型表示装置１（１Ａ）は、トレーラー２４０に対して着脱可能である。トレーラー２４０から取り外された簡易設置型表示装置１（１Ａ）は、昇降ジャッキ２４２によって大地に仮置きが可能である。さらに、簡易設置型表示装置１（１Ａ）はフレーム下４に脚２１を取り付けて大地に直接設置することができる。
【００６１】
図２１は、トレーラーと一体となった一体型トレーラー２４４と牽引車２４３との関係を示した図である。なお、一体型トレーラー２４４の構成は、トレーラーと一体となった部分を除けば、簡易設置型表示装置１、２４９、２５９、２６０と同様である。図２１（ａ）は、一体型トレーラー２４４と牽引車２４３が接続された状態を示した図である。図２１（ｂ）は、一体型トレーラー２４４が牽引車２４３から切り離された状態を示した図である。一体型トレーラー２４４はトレーラーと一体なので、いちいちトレーラーから取り外す必要が無い。また、牽引車２４３に牽引させることで移動広告塔として使用することができる。
【００６２】
次に、図２２、図２３を参照して簡易設置型表示装置１（１Ａ）の設置手順を説明する。なお、設置手順は第一の実施形態について説明するが、後述する第二の実施形態、第三の実施形態、第四の実施形態、及び第五の実施形態についても同様である。図２２は、簡易設置型表示装置１（１Ａ）の設置手順を示した図である。図２２（ａ）はトレーラー２４０から簡易設置型表示装置１（１Ａ）を取り外し、脚２１を取り付けた状態を示す。図２２（ｂ）は第一の工程を示した図である。図２３は、簡易設置型表示装置１（１Ａ）の設置手順を示した図であり、図２３（ｃ）は第二の工程を示し、図２３（ｄ）は第三の工程を示した図である。図２２（ｂ）を参照して、設置手順の第一工程を説明する。表示可能領域３６を形成するために、第一支持部１３から第二支持部１４と第三支持部１５をそれぞれ第三方向と第四方向に広げる。サイド支持軸２０の上端に備えられたサイド軸スナップフック８６を、第二支持部１４のサイド支持軸取付部８５に引っ掛けて取り付ける。同様に、サイド支持軸２０の上端に備えられたサイド軸スナップフック８６を第三支持部１５のサイド支持軸取付部８５に引っ掛けて取り付ける。フレーム側支持部２５から第四支持部１６と第五支持部１７をそれぞれ第三方向と第四方向に広げる。第一支持部１３、第二支持部１４、第三支持部１５に取り付けられた表示部材取付部３０にスクリーン３２又は板状部材３７の上端部を取り付ける。さらに、フレーム側支持部２５、第四支持部１６、第五支持部１７に取り付けられた表示部材取付部３１にスクリーン３２の下端部を取り付ける。なお、板状部材３７の場合は、後述する第三工程又は第四工程で板状部材３７の下端を表示部材取付部３１に取り付ける。
【００６３】
図２３（ｃ）を参照して、簡易設置型表示装置１（１Ａ）の設置手順における第二工程を説明する。上下方向作動ユニット２４を作動して第一支持部１３を第一方向である上方に移動させる。図１１、図１２を参照して説明したように、上下方向作動バーネジ７１をネジが進む方向に回転（右ネジの場合は右方向に回転）させると、上下方向作動バー軸上６７が第二アーム６を第一方向である上方に移動させる。第一支持部１３が設置高さに達したら、上下方向作動バーネジ７１の回転を終了する。板状部材３７を表示部材として使用する場合は、板状部材３７の下端を表示部材取付部３１に取り付ける。
【００６４】
図２３（ｄ）を参照して、簡易設置型表示装置１（１Ａ）の設置手順における第三工程を説明する。図１３を参照して説明したように、サイド支持軸２０を取り付ける工程である。サイド支持軸２０の長さは、第一支持部１３の高さに応じて調整する。調整方法は、サイド作動ネジ８７を回転させて長さを調整する。次にサイド支持軸２０の下端部を第三方向側のサイド取付部９０に挿入する。次にサイド支持軸２０の下端部を第四方向側のサイド取付部９０に挿入する。
【００６５】
次に、第一の実施形態に係る簡易設置型表示装置１（１Ａ）の効果を説明する。図1〜図４に示すように、簡易設置型表示装置１（１Ａ）は、フレーム３と、第一支持部１３と、伸縮機構部２２であるパンタグラフ機構２を備える。パンタグラフ機構２は、一端がフレーム３のフレーム上端２８に連結され、他端が第一支持部１３に連結され、第一方向と、第一方向とは反対方向の第二方向とに移動可能である。フレーム３は、第一方向及び第二方向と直交する第三方向と、第三方向の反対方向である第四方向に所定の長さＦＬを有し、フレーム３は、第一方向及び第三方向に直交する第五方向と、第五方向と反対の方向である第六方向に所定の幅ＦＷを有する。第一支持部１３は、パンタグラフ機構２の動作により第一方向と第二方向とに移動可能であって、最も第一方向の側に移動可能な位置である第一位置ＴＰと、最も第二方向の側に移動可能な位置である第二位置ＬＰとの間を移動可能である。フレーム３において、第一方向の側の端部であるフレーム上端２８よりもさらに第二方向の側の端であるフレーム下端２９を第三位置ＢＰとしたとき、第一支持部１３及びフレーム３により、第一位置ＴＰと第三位置ＢＰとの間で表示可能領域３６が形成される。なお、フレーム上端２８である「第一方向の側の端部」はフレーム３の上端部分のみを示すのでは無く、フレーム３の第一方向側の端部を形成する部材とその周辺も含む。フレーム下端２９である「第二方向の側の端」はフレーム３の下端部分のみを示すのでは無く、フレーム３の第二方向の側の端を形成する部材とその周辺を含む。また、表示可能領域３６は、第一位置ＴＰと第三位置ＢＰとの間の全ての範囲である必要は無く、第一位置ＴＰと第三位置ＢＰとの間の所定の範囲のみであってもよい。
【００６６】
この場合、簡易設置型表示装置１（１Ａ）は、第一支持部１３が第一位置ＴＰと第二位置ＬＰとの間を移動可能であり、フレーム３がフレーム上端２８とフレーム上端２８よりもさらに第二方向側である第三位置ＢＰとの間の領域を有する。よって第一支持部１３とフレーム３とによって第一位置ＴＰと第三位置ＢＰとの間で拡張性を有する表示可能領域３６を形成できる。すなわち、表示可能領域３６は、パンタグラフ機構２が移動する領域よりもさらにフレーム３における第二方向側の位置まで拡張することができるので、優れた表示可能領域３６の拡張性を有する。表示可能領域３６は、第一方向と第二方向において第一位置ＴＰと第三位置ＢＰとの間を最大領域とすることも可能である。また、パンタグラフ機構２はフレーム３に連結されるので、フレーム３がパンタグラフ機構２の動きを安定的に支持することができる。フレーム３を備えない従来の表示装置においては、パンタグラフ機構を支える土台が無いので、強風が吹いたときに表示装置が倒れてしまうという問題があった。また、土台が無いために表示領域の拡張性が制限されていた。簡易設置型表示装置１（１Ａ）はその問題を解決している。表示可能領域３６は、表示部材であるスクリーン３２及び板状部材３７等を取り付けることにより表示領域４２が形成される。表示領域４２にはプロジェクター、映写機等の映写機材によって影像を映写することができる。また、表示領域４２にポスター或いは広告宣伝等告知を目的としたシート状の部材を貼り付けることができる。さらには、表示領域４２に直接印刷するか或いは書き換え可能な状態のボードにすることもできる。簡易設置型表示装置１（１Ａ）は、この他にも表示装置としての応用が可能である。
【００６７】
図１、図２、図１６、図１７に示すように、簡易設置型表示装置１（１Ａ）は、第一支持部１３の第三方向の側の端部を伸張する第二支持部１４と、第一支持部１３の第四方向の側の端部を伸張する第三支持部１５の少なくとも一方を備える。第二支持部１４又は第三支持部１５の少なくとも一方により、表示可能領域３６は、第三方向又は第四方向の少なくとも一方に拡張して形成される。この場合、簡易設置型表示装置１（１Ａ）は、第一方向及び第二方向と直交する第三方向又は第四方向の少なくとも一方に拡張性を有するので、更に優れた拡張性を有する表示可能領域３６を形成することができる。
【００６８】
図１、図２、図１４、図１５に示すように、簡易設置型表示装置１（１Ａ）は、フレーム３がフレーム側支持部２５を備え、フレーム側支持部２５は、フレーム３の第一方向の側の端部であるフレーム上端２８とフレーム３の第二方向の側の端であるフレーム下端２９との間の範囲において第一方向及び第二方向に移動可能である。表示可能領域３６は、フレーム３のうちのフレーム側支持部２５によって形成される。この場合、簡易設置型表示装置１（１Ａ）は、フレーム側支持部２５が第一方向又は第二方向に移動できるので、第一支持部１３と第二支持部１４或いは第三支持部１５とともに第一方向又は第二方向に表示可能領域３６を調整することができる。なお、フレーム側支持部２５は、必ずしもフレーム上端２８とフレーム下端２９との間の全ての範囲を移動可能である必要は無く、フレーム上端２８とフレーム下端２９との間の一定範囲のみ移動可能であってもよい。
【００６９】
図１、図２、図１４、図１５に示すように、簡易設置型表示装置１（１Ａ）のフレーム側支持部２５は、フレーム側支持部２５における第三方向の側の端部を伸張する第四支持部１６と、第四方向の側の端部を伸張する第五支持部１７の少なくとも一方を備えている。この場合、簡易設置型表示装置１（１Ａ）は、フレーム側支持部２５において第三方向又は第四方向の少なくとも一方に拡張性を有するので、更に優れた拡張性を有する表示可能領域３６を形成することができる。
【００７０】
図１〜図４に示すように、簡易設置型表示装置１（１Ａ）はスクリーン３２または板状部材３７を備え、第一支持部１３及びフレーム３は表示部材取付部３０、３１を備える。スクリーン３２または板状部材３７は少なくとも表示部材取付部３０、３１に取付可能であり、表示可能領域３６の範囲内で表示領域４２が形成される。この場合、スクリーン３２または板状部材３７を第一支持部１３に取り付けることにより、優れた拡張性を有する表示領域４２を形成できる。スクリーン３２または板状部材３７のサイズを基に表示可能領域３６を選択することができる。また逆に、表示可能領域３６に合わせてスクリーン３２または板状部材３７のサイズを選ぶことができる。
【００７１】
図１８、図１９に示すように、簡易設置型表示装置１（１Ａ）は、表示部材取付部３０、３１の少なくとも一部は、表示部材であるスクリーン３２または板状部材３７と着脱可能なマグネット１５０、１５１、面ファスナー１５３、１５４、バネフック１５５、１５６を備える。マグネット１５０、１５１、面ファスナー１５３、１５４、バネフック１５５、１５６に所定以上の荷重が加わると、スクリーン３２または板状部材３７が表示部材取付部３０、３１と分離して外れる。この場合、仮に強風が吹いたときにスクリーン３２または板状部材３７が外れることによって、簡易設置型表示装置１（１Ａ）の転倒、破損を防止できる。
【００７２】
図１８、図１９に示すように、簡易設置型表示装置１（１Ａ）の表示部材は、シート状のスクリーン３２、又は板状部材３７である。この場合、シート状のスクリーン３２は、折り畳みや巻き込みが容易なので、移動に便利である。また、板状部材３７は表面にしわが発生する等の不具合が生じにくいので、長期にわたって表示部材として使用するときに適している。
【００７３】
図１、図２、図５〜図９に示すように、簡易設置型表示装置１（１Ａ）は、パンタグラフ機構２を備える。パンタグラフ機構２は、フレーム３の第一方向の側の端部であるフレーム上端２８に備えられた第一連結部７及びフレーム側ガイド部９と、第一支持部１３に備えられた第二連結部１０及び第一支持部側ガイド部８を有する。互いに回動可能に連結された少なくとも一対の第一アーム５、第二アーム６を有する。第一アーム５、第二アーム６のうち、第一アーム５における第一連結部軸１１は、第一連結部７でフレーム３に連結される。第一支持部側ガイド部軸４３は、第一支持部側ガイド部８で第一支持部１３に係合される。第一アーム５、第二アーム６のうち、第二アーム６におけるフレーム側ガイド部軸４４は、フレーム側ガイド部９でフレーム３に係合される。第一支持部１３の側の第二連結部軸１２は、第二連結部１０で第一支持部１３に連結される。第一連結部７及びフレーム側ガイド部９は、第二連結部１０及び第一支持部側ガイド部８に対して同方向にそれぞれ位置付けられる。
【００７４】
図１０〜図１２に示すように、さらに、フレーム３は、第一アーム５又は第二アーム６のいずれか一方に連結された上下方向作動ユニット２４を備える。上下方向作動ユニット２４は、第一方向と第二方向に向いた方向に作動可能な上下方向作動バーネジ７１を備える。上下方向作動バーネジ７１が第一方向に向いた方向に移動したときに、上下方向作動ユニット２４に連結された第一アーム５又は第二アーム６が移動して第一支持部１３を第一方向に移動させる。上下方向作動バーネジ７１が第二方向に向いた方向に移動したときに、上下方向作動ユニット２４に連結された第一アーム５又は第二アーム６が移動して第一支持部１３を第二方向に移動させる。第一支持部１３が第二位置ＬＰに位置したときに、上下方向作動バーネジ７１の一端である上下方向作動バーネジ端部８０がフレーム３の内部に位置する。すなわち、上下方向作動バーネジ端部８０が、フレーム３の第一方向の側の端部であるフレーム上端２８よりも第二方向の側であって、フレーム３の第二方向の側の端であるフレーム下端２９よりも第一方向の側に位置する。
【００７５】
この場合、上下方向作動ユニット２４に備えられた上下方向作動バーネジ７１を第一方向に向いた方向に作動させることにより、第一支持部１３を第一方向に移動させることができる。よって、表示可能領域３６を拡張させることができる。上下方向作動バーネジ７１を第二方向に向いた方向に作動させることにより、第一支持部１３を第二方向に移動させることができる。よって、表示可能領域３６を縮小させることができる。上下方向作動ユニット２４は、第一方向及び第二方向を結んだ方向に向けて上下方向作動バーネジ７１を作動させるので、第一支持部１３を移動させるための力の方向成分が第一方向及び第二方向を結んだ方向に向いている。よって、加える力の損失を少なくして第一支持部１３を移動させることができる。
【００７６】
また、第一支持部１３が第二位置ＬＰに位置したときに、上下方向作動バーネジ７１の一端である上下方向作動バーネジ端部８０が、フレーム３の第一方向の側の端部であるフレーム上端２８よりも第二方向の側であって第二方向の側の端であるフレーム下端２９よりも第一方向の側に位置する。すなわち上下方向作動バーネジ７１の一端である上下方向作動バーネジ端部８０は、フレーム３の内部に収まるので、表示可能領域３６を縮小させたときもフレーム３からはみ出すことが無く収納性に優れている。
【００７７】
次に、図２４〜図２７を参照し、本発明の第二の実施形態である簡易設置型表示装置１（以下第二実施形態における簡易設置型表示装置を１Ｂということがある）を具体化した実施の形態について説明する。なお、第一の実施形態である簡易設置型表示装置１Ａと同様の構成については同様の符号を付すか或いは省略し、説明を省略する。
【００７８】
図２４は、簡易設置型表示装置１Ｂを示した正面図である。図２４に示したように、簡易設置型表示装置１Ｂは、簡易設置型表示装置１Ａに対して伸縮機構部１５８の一部が異なる。伸縮機構部１５８であるパンタグラフ機構１５９のうちの横方向作動ユニット１６５とフレーム側ガイド部１７１が異なる。図２５（ｂ）、図２６、図２７を参照して、横方向作動ユニット１６５とフレーム側ガイド部１７１を説明する。横方向作動ユニット１６５は、コの字状の断面形状を有するフレーム側ガイドプレート１７５を備える。フレーム側ガイドプレート１７５の内側には、作動板１６６の両端に作動側板１６８が一体に備えられる。フレーム側ガイドプレート１７５に対して、作動板１６６と作動側板１６８がフレーム側ガイド部軸１６７を介して第三方向及び第四方向にスライドする。作動側板１６８の内側には、第二アーム１６１がフレーム側ガイド部軸１６７を介して回動可能に連結されている。フレーム側ガイド部軸１６７は、一端が段部１０９であり、他端はネジが設けられてダブルナット１０７が取り付けられ、段部１０９とダブルナット１０７によってフレーム側ガイドプレート１７５と第二アーム１６１を挟んでいる。
【００７９】
作動板１６６は、横方向作動ネジ１６０が取り付けられている。横方向作動ネジ１６０は作動板１６６に対して回転可能に挿入され、作動板１６６を挟んだ両側にダブルナット１６９が固定され、ダブルナット１６９と作動板１６６の間にはスラストベアリング１７０が挟まれている。スラストベアリング１７０は、作動板１６６に対して横方向作動ネジ１６０に固定されたダブルナット１６９がスムーズに回転するために挟まれている。フレーム側ガイドプレート１７５の第四方向側端部１７４は、ナットホルダ１７７が四カ所のネジ１７３によって締結されている。横方向作動ネジ１６０の先端にはナット１７６が溶接されている。なお、スラストベアリング１７０の代わりにスラストワッシャーを用いても良い。
【００８０】
ナットホルダ１７７は横方向作動ネジ１６０と螺合しており、横方向作動ネジ１６０が進む方向に回転すると作動板１６６を第三方向に押し出す。作動板１６６が第三方向に移動するとフレーム側ガイド部軸１６７を介して第二アーム１６１を第三方向に移動させる。第二アーム１６１が第三方向に移動すると、回動軸２３で連結された第一アーム５が第二アーム１６１とともに第一支持部１３を第一方向に移動させる。横方向作動ネジ１６０が後退する方向に回転すると作動板１６６がフレーム側ガイド部軸１６７を介して第二アーム１６１を第四方向に移動させる。第二アーム１６１が第四方向に移動すると、回動軸２３で連結された第一アーム５が第二アーム１６１とともに第一支持部１３を第二方向に移動させる。横方向作動ネジ１６０の回転方向を選択して回転させることにより、第一支持部１３を第一方向または第二方向に移動することができる。横方向作動ネジ１６０を回転させるための道具の例として、一般的な電動レンチを使用する。横方向作動ネジ１６０の先端に溶接されたナット１７６を電動レンチを用いて回転させることで横方向作動ユニット１６５を作動させる。
【００８１】
次に、第二の実施形態に係る簡易設置型表示装置１Ｂの効果を説明する。図２４〜図２７に示すように、簡易設置型表示装置１Ｂは、パンタグラフ機構１５９を備える。パンタグラフ機構１５９は、フレーム３の第一方向の側の端部であるフレーム上端２８に備えられた第一連結部７及びフレーム側ガイド部１７１と、第一支持部１３に備えられた第二連結部１０及び第一支持部側ガイド部８を有する。互いに回動可能に連結された少なくとも一対の第一アーム５、第二アーム１６１を有する。第一アーム５、第二アーム１６１のうち、第一アーム５における第一連結部軸１１は、第一連結部７でフレーム３に連結される。第一支持部側ガイド部軸４３は、第一支持部側ガイド部８で第一支持部１３に係合される。第一アーム５、第二アーム１６１のうち、第二アーム１６１におけるフレーム側ガイド部軸１６７は、フレーム側ガイド部１７１でフレーム３に係合される。第一支持部１３の側の第二連結部軸１２は、第二連結部１０で第一支持部１３に連結される。第一連結部７及びフレーム側ガイド部１７１は、第二連結部１０及び第一支持部側ガイド部８に対して同方向にそれぞれ位置付けられる。
【００８２】
さらに、パンタグラフ機構１５９は、フレーム３における第一方向の側の端部であるフレーム上端２８に設けられ、フレーム側ガイド部１７１に係合するフレーム側ガイド部軸１６７をフレーム側ガイド部１７１に沿って移動させる横方向作動ユニット１６５を備える。横方向作動ユニット１６５における横方向作動ネジ１６０が第三方向に移動したときに、第一アーム５、第二アーム１６１が回動して第一支持部１３が第一方向に移動する。横方向作動ネジ１６０が、第四方向に移動したときに第一アーム５、第二アーム１６１が回動して第一支持部１３が第二方向に移動する。
【００８３】
この場合、横方向作動ネジ１６０を第三方向に移動させることで第一アーム５、第二アーム１６１が回動して第一支持部１３が第一方向に移動する。横方向作動ネジ１６０を第四方向に移動させたときに第一アーム５、第二アーム１６１が回動して第一支持部１３が第二方向に移動する。よって、横方向作動ネジ１６０を移動させることで容易にパンタグラフ機構１５９を伸縮させることができる。例えば、パンタグラフ機構１５９が上下方向に移動する構成であれば、横方向作動ネジ１６０を水平方向に移動させることになるので作業をしやすい。
【００８４】
次に、図２８を参照し、本発明の第三の実施形態である簡易設置型表示装置２４９を具体化した実施の形態について説明する。なお、第一の実施形態である簡易設置型表示装置１Ａと同様の構成については同様の符号を付すか或いは省略し、説明を省略する。図２８（ａ）は簡易設置型表示装置２４９を示した正面図であり、図２８（ｂ）は図２８（ａ）の平面図である。簡易設置型表示装置２４９における伸縮機構部１７８は、第一の実施形態である簡易設置型表示装置１Ａに対して、パンタグラフ機構２の代わりに二つのパンタグラフ機構２００と、押上軸ユニット１７２を備える点が異なり、他は簡易設置型表示装置１Ａと同様である。パンタグラフ機構２００は、フレーム１７９の第一方向側端部であるフレーム上端２０２と第一支持部１８４とを連結している。
【００８５】
図２８に示すように、パンタグラフ機構２００は、第一アーム１８２と第二アーム１８３が回動軸１９８によって回動可能に連結されている。第一アーム１８２は、第一連結部１８６にてフレーム１７９のフレーム上端２０２と回動可能に連結され、第一支持部側ガイド部１８７にて第一支持部１８４とスライド可能に係合されている。第二アーム１８３は、フレーム側ガイド部１８８にてフレーム１７９とスライド可能に係合され、第二連結部１８９にて第一支持部１８４と回動可能に連結されている。
【００８６】
簡易設置型表示装置２４９は、押上軸ユニット１７２を備えている。押上軸ユニット１７２は、押上軸支持板１８０と押上軸１８１からなる。フレーム上端２０２に押上軸支持板１８０が取り付けられ、例としてネジ、ボールネジ、又は台形ネジからなる押上軸１８１が押上軸支持板１８０と螺合している。押上軸１８１の押上軸上端２３７は第一支持部１８４と接触し、押上軸１８１のネジが進む方向に押上軸１８１を回転させたとき、第一支持部１８４が第一方向に移動する。押上軸１８１のネジが後退する方向に押上軸１８１を回転させたとき、第一支持部１８４が第二方向に移動する。押上軸１８１の押上軸下端２３９は、フレーム１７９におけるフレーム上端２０２よりも第二方向側に位置する。また、押上軸下端２３９は、第一支持部１８４が最も第二方向側へ移動した状態でも、フレーム下端２４５よりも第二方向側へ飛び出すこと無く、フレーム１７９の内部に収まっている。
【００８７】
簡易設置型表示装置２４９は、二つのパンタグラフ機構２００を備える。図２８（ｂ）に示すように、一方のパンタグラフ機構２００の第二連結部１８９は、第一支持部側ガイド部１８７に対して第三方向側に備えられている。また、第二連結部１８９は、第一連結部１８６に対して第六方向側に備えられている。他方のパンタグラフ機構２００の第二連結部１８９は、第一支持部側ガイド部１８７に対して第四方向側に備えられている。また、第二連結部１８９は、第一連結部１８６に対して第五方向側に備えられている。従って、平面図（図２８（ｂ）参照）において矩形形状である第一支持部１８４の対角線上の端に第二連結部１８９が備えられている。
【００８８】
図２８（ｂ）に示すように、押上軸ユニット１７２は第三方向と第四方向のほぼ中心であって、第五方向と第六方向のほぼ中心に備えられている。また、押上軸ユニット１７２は、第五方向及び第六方向において二つのパンタグラフ機構２００の間に挟まれた位置に備えられている。よって、第一支持部１８４は安定して第一方向及び第二方向に移動する。
【００８９】
次に、本発明の第三の実施形態である簡易設置型表示装置２４９の効果を説明する。図２８に示すように、簡易設置型表示装置２４９における伸縮機構部１７８は、少なくとも二つのパンタグラフ機構２００を備える。パンタグラフ機構２００は、フレーム１７９の第一方向の側の端部であるフレーム上端２０２に備えられた第一連結部１８６及びフレーム側ガイド部１８８と、第一支持部１８４に備えられた第二連結部１８９及び第一支持部側ガイド部１８７と、回動可能に連結された少なくとも一対の第一アーム１８２、第二アーム１８３を有する。第一アーム１８２、第二アーム１８３のうち、第一アーム１８２における第一連結部軸１９０は、第一連結部１８６でフレーム３に連結され、第一支持部側ガイド部軸１９２は、第一支持部側ガイド部１８７で第一支持部１８４に係合される。第一アーム１８２、第二アーム１８３のうち、第二アーム１８３におけるフレーム側ガイド部軸１９３は、フレーム側ガイド部１８８でフレーム１７９に係合され、第一支持部１８４の側の第二連結部軸１９１は、第二連結部１８９で第一支持部１８４に連結される。
【００９０】
第一連結部１８６及びフレーム側ガイド部１８８は、第二連結部１８９及び第一支持部側ガイド部１８７に対して同方向にそれぞれ位置付けられる。パンタグラフ機構２００のうちの一つは、第二連結部１８９がフレーム側ガイド部１８８に対して第三方向の側にあり、パンタグラフ機構２００のうちの他の一つは、第二連結部１８９がフレーム側ガイド部１８８に対して第四方向の側にある。
【００９１】
さらに、フレーム１７９は押上軸ユニット１７２を備え、押上軸ユニット１７２は、第一方向と第二方向に作動可能な押上軸１８１を備える。押上軸１８１が第一方向に移動したときに、押上軸１８１に接触された第一支持部１８４を第一方向に移動させ、押上軸１８１が第二方向に移動したときに、押上軸ユニット１７２に連結された第一支持部１８４を第二方向に移動させる。第一支持部１８４が第二位置ＬＰに位置したときに、押上軸１８１の一端である押上軸下端２３９がフレーム１７９の第一方向の側の端部であるフレーム上端２０２よりも第二方向の側であって、フレーム１７９の第二方向の側の端であるフレーム下端２４５よりも第一方向の側に位置する。
【００９２】
この場合、少なくとも二つのパンタグラフ機構２００を備えるので、第一支持部１８４を安定的に第一方向及び第二方向に移動させることができる。パンタグラフ機構２００のうちの一つは、第二連結部１８９がフレーム側ガイド部１８８に対して第三方向の側にあり、第一連結部１８６に対して第六方向の側に備えられている。パンタグラフ機構２００のうちの他の一つは、第二連結部１８９がフレーム側ガイド部１８８に対して第四方向の側にあり、第一連結部１８６に対して第五方向の側に備えられている。すなわち、第一支持部１８４に連結された少なくとも二つの第二連結部１８９が、第一支持部１８４の第三方向の側と第四方向の側にそれぞれ位置するので、第一支持部１８４が安定して支持される。さらに、第一支持部１８４に連結された少なくとも二つの第二連結部１８９が、第五方向の側と第六方向の側に備えられる。よって、平面図（図２８（ｂ）参照）において略矩形形状である第一支持部１８４の対角線上の端に二つの第二連結部１８９が備えられているので、第一支持部１８４は安定して支持されるという効果がある。また、押上軸ユニット１７２に備えられた押上軸１８１を第一方向又は第二方向に移動させることにより、表示可能領域３６を拡張するか或いは縮小することができる。
【００９３】
さらに、第一支持部１８４が第二位置ＬＰに位置したときに、押上軸１８１の一端である押上軸下端２３９がフレーム１７９の第一方向の側の端部であるフレーム上端２０２よりも第二方向の側であって、フレーム１７９の第二方向の側の端であるフレーム下端２４５よりも第二方向の側にはみ出さない。よって、表示可能領域３６を縮小させたときにフレーム１７９から押上軸下端２３９がはみ出すことがないので収納性に優れる。
【００９４】
なお、二つのパンタグラフ機構２００は、第五方向及び第六方向において互いに向き合うように配置した例を示したがこれに限らない。例えば、二つのパンタグラフ機構２００を第三方向及び第四方向に沿って並んで配置し、二つのパンタグラフ機構２００の第三方向及び第四方向における間に押上軸ユニット１７２を備えても良い。この場合、第三方向及び第四方向において、第一支持部１８４の長さを長くしても安定してさらに拡張性を有する表示可能領域３６を形成することができる。
【００９５】
次に、図２９を参照し、本発明の第四の実施形態である簡易設置型表示装置２５９を具体化した実施の形態について説明する。なお、第一の実施形態である簡易設置型表示装置１Ａと同様の構成については同様の符号を付すか或いは省略し、説明を省略する。図２９（ａ）は簡易設置型表示装置２５９を示した正面図であり、図２９（ｂ）は図２９（ａ）の平面図である。簡易設置型表示装置２５９における伸縮機構部２０５は、第一の実施形態である簡易設置型表示装置１Ａに対して、二つのパンタグラフ機構２００が加わった点が異なり、他は簡易設置型表示装置１Ａと同様である。二つのパンタグラフ機構２００は、第三の実施形態における簡易設置型表示装置２４９と同様であり、フレーム２０６におけるフレーム上端２３８と第一支持部２１２との関係も同様である。一つのパンタグラフ機構２と二つのパンタグラフ機構２００が、第一支持部２１２とフレーム上端２３８とを連結している。図２９（ｂ）に示すように、パンタグラフ機構２は、第五方向及び第六方向において二つのパンタグラフ機構２００に挟まれた位置に備えられている。
【００９６】
次に、第四の実施形態である簡易設置型表示装置２５９の効果を説明する。図２９に示すように、簡易設置型表示装置２５９の伸縮機構部２０５は、少なくとも二つのパンタグラフ機構２００と少なくとも一つのパンタグラフ機構２を備える。少なくとも二つのパンタグラフ機構２００と少なくとも一つのパンタグラフ機構２が、第一支持部２１２とフレーム上端２３８とを連結している。パンタグラフ機構２００の構成は第三の実施形態と同様であるので省略する。少なくとも一つのパンタグラフ機構２は、第五方向と第六方向においてパンタグラフ機構２００に挟まれた位置に備えられる。この場合、少なくとも二つのパンタグラフ機構２００と少なくとも一つのパンタグラフ機構２によって第一支持部２１２が第一方向及び第二方向に安定して移動することができる。
【００９７】
さらに、第一支持部２１２は、パンタグラフ機構２における上下方向作動ユニット２４によって第一方向及び第二方向への移動が行われる。少なくとも二つのパンタグラフ機構２００と少なくとも一つのパンタグラフ機構２により、第一支持部２１２はズムーズに第一方向及び第二方向への移動動作が行われる。
【００９８】
なお、一つのパンタグラフ機構２と二つのパンタグラフ機構２００は、第五方向及び第六方向において互いに向き合うように配置した例を示したがこれに限らない。例えば、二つのパンタグラフ機構２００を第三方向及び第四方向に沿って並んで配置し、二つのパンタグラフ機構２００の第三方向及び第四方向における間に一つのパンタグラフ機構２を備えても良い。この場合、第三方向及び第四方向において、第一支持部２１２の長さを長くしても安定してさらに拡張性を有する表示可能領域３６を形成することができる。
【００９９】
次に、本発明の第五の実施形態である簡易設置型表示装置２６０を具体化した実施の形態について説明する。図示しないが、第五の実施形態における簡易設置型表示装置２６０は、第四の実施形態における簡易設置型表示装置２５９に対して、パンタグラフ機構２の代わりにパンタグラフ機構１５９を備えた構成である。他の構成は、第四の実施形態における簡易設置型表示装置２５９と同様なので、詳細な説明は省略する。なお、第４の実施形態と同様、例えば、二つのパンタグラフ機構２００を第一方向及び第二方向に沿って並んで配置し、二つのパンタグラフ機構２００の第一方向及び第二方向における間に一つのパンタグラフ機構１５９を備えても良い。
【０１００】
次に、第五の実施形態である簡易設置型表示装置２６０の効果を説明する。図示しないが、簡易設置型表示装置２６０の伸縮機構部２０５は、少なくとも二つのパンタグラフ機構２００と少なくとも一つのパンタグラフ機構１５９を備える。パンタグラフ機構２００の構成は第三の実施形態と同様であるので省略する。少なくとも一つのパンタグラフ機構１５９は、第五方向と第六方向においてパンタグラフ機構２００に挟まれた位置に備えられる。この場合、少なくとも二つのパンタグラフ機構２００と少なくとも一つのパンタグラフ機構１５９によって第一支持部２１２が第一方向及び第二方向に安定して移動することができる。さらに、第一支持部２１２は、パンタグラフ機構１５９における横方向作動ユニット１６５によって第一方向及び第二方向への移動が行われる。少なくとも二つのパンタグラフ機構２００と少なくとも一つのパンタグラフ機構１５９により、第一支持部２１２はズムーズに第一方向及び第二方向への移動動作が行われる。
【０１０１】
次に、全ての実施形態における簡易設置型表示装置に共通する効果を説明する。図２に示すように、簡易設置型表示装置１（１Ａ、１Ｂ）、２４９、２５９、２６０は、フレーム３、１７９、２０６の第五方向と第六方向とを結ぶ方向の寸法の少なくとも一部の幅寸法ＦＷは、伸縮機構部２２、１５８、１７８、２０５の第五方向と第六方向とを結ぶ方向の幅寸法ＰＷよりも大きい。この場合、第五方向と第六方向とを結ぶ方向において、フレーム３、１７９、２０６の少なくとも一部の幅寸法ＦＷが伸縮機構部２２、１５８、１７８、２０５の幅寸法ＰＷよりも大きいので、フレーム下端２９、２４５、２４６の側が大地に設置されたとき、風を受けたときでも安定する。
【０１０２】
簡易設置型表示装置１（１Ａ、１Ｂ）、２４９、２５９、２６０は、フレーム３、１７９、２０６の重量が、第一支持部１３、１８４、２１２及び伸縮機構部２２、１５８、１７８、２０５を加えた重量よりも大きくてもよい。この場合、フレーム下端２９、２４５、２４６の側が大地に設置されたとき、風を受けたときでも安定する。
【０１０３】
図２０に示すように、簡易設置型表示装置１（１Ａ、１Ｂ）、２４９、２５９、２６０は、牽引車２４３によって牽引されるトレーラー２４０に対して着脱自在であり、トレーラー２４０に取り付けられたときに牽引車２４３によって移動可能であってもよい。この場合、簡易設置型表示装置１（１Ａ、１Ｂ）、２４９、２５９、２６０は牽引車２４３によって移動可能であり、設置場所においてトレーラー２４０から外して設置することができる。設置場所の自由度が大きく、一時的に表示装置を設置することが可能である。
【０１０４】
図２１に示すように、簡易設置型表示装置１（１Ａ、１Ｂ）、２４９、２５９、２６０は、牽引車２４３によって牽引される一体型トレーラー２４４として形成され、牽引車２４３によって移動可能であってもよい。この場合、簡易設置型表示装置１（１Ａ、１Ｂ）、２４９、２５９、２６０は牽引車２４３によって移動可能であり、設置場所にそのまま設置することができる。設置場所の自由度が大きく、一時的に表示装置を設置することが可能である。さらに、簡易設置型表示装置１（１Ａ、１Ｂ）、２４９、２５９、２６０は移動広告用として使用できる。
【０１０５】
次に、各要素の対応を説明する。簡易設置型表示装置１（１Ａ、１Ｂ）、２４９、２５９、２６０は、「簡易設置型表示装置」に相当する。フレーム３、１７９、２０６が、「フレーム」に相当する。第一支持部１３、１８４、２１２が「第一支持部」に相当する。伸縮機構部２２、１５８、１７８、２０５が「伸縮機構部」に相当する。長さ寸法ＦＬが「フレームの第四方向の所定の長さ」に相当し、幅寸法ＦＷが「フレームの第六方向の所定の幅」に相当する。第一位置ＴＰが「第一位置」に相当し、第二位置ＬＰが「第二位置」に相当し、第三位置ＢＰが「第三位置」に相当する。フレーム上端２８、２０２、２３８が「第一方向の側の端部」に相当し、フレーム下端２９、２４５、２４６が「第二方向の側の端」に相当する。スクリーン３２及び板状部材３７は「表示部材」に相当し、表示部材取付部３０、３１は「取付部」に相当する。マグネット１５０、１５１、面ファスナー１５３、１５４、バネフック１５５、１５６は、「取付部材」に相当する。パンタグラフ機構２が「第一パンタグラフ機構」に相当する。第一連結部７が「第一連結部」に相当し、フレーム側ガイド部９、１７１が「フレーム側ガイド部」に相当する。第二連結部１０が「第二連結部」に相当し、第一支持部側ガイド部８が「第一支持部側ガイド部」に相当する。第一アーム５が「第一アーム」に相当し、第二アーム６、１６１が「第二アーム」に相当する。第一連結部軸１１が「第一連結部軸」に相当し、第一支持部側ガイド部軸４３が「第一支持部側ガイド部軸」に相当する。第二連結部軸１２が「第二連結部軸」に相当し、フレーム側ガイド部軸４４、１６７が「フレーム側ガイド部軸」に相当する。上下方向作動ユニット２４が「押出機構部」に相当し、上下方向作動バーネジ７１が「押出部材」に相当する。上下方向作動バーネジ端部８０が「押出部材の一端」に相当する。パンタグラフ機構１５９は「第二パンタグラフ機構」に相当する。横方向作動ユニット１６５が「端部移動機構」に相当し、横方向作動ネジ１６０が「端部移動部材」に相当する。パンタグラフ機構２００が「第三パンタグラフ機構」に相当する。第一連結部１８６が「第三機構第一連結部」に相当し、第二連結部１８９が「第三機構第二連結部」に相当する。フレーム側ガイド部１８８が「第三機構フレーム側ガイド部」に相当し、第一支持部側ガイド部１８７が「第三機構第一支持部側ガイド部」に相当する。第一アーム１８２が「第三機構第一アーム」に相当し、第二アーム１８３が「第三機構第二アーム」に相当する。第一連結部軸１９０が「第三機構第一連結部軸」に相当し、第一支持部側ガイド部軸１９２が「第三機構第一支持部側ガイド部軸」に相当する。フレーム側ガイド部軸１９３が「第三機構フレーム側ガイド部軸」に相当し、第二連結部軸１９１が「第三機構第二連結部軸」に相当する。押上軸ユニット１７２が「第三押出機構部」に相当し、押上軸１８１が「第三押出部材」に相当する。押上軸下端２３９が「第三押出部材の一端」に相当する。トレーラー２４０が「第一移動ユニット」に相当する。一体型トレーラー２４４が「第二移動ユニット」に相当する。
【０１０６】
上記実施形態において、簡易設置型表示装置１（１Ａ、１Ｂ）、２４９、２５９、２６０は本発明の「簡易設置型表示装置」の一例である。なお、本発明は上記の実施形態に限定されるものではなく、種々の変更が可能である。例えば、第三方向及び第四方向へ表示可能領域３６を拡張するために、第二支持部１４，第三支持部１５、第四支持部１６、第五支持部１７はフレーム蝶番１８、第一支持部蝶番１９を用いているがこれに限らない。図１３を参照して説明したサイド支持軸２０と同様に、一例としてパイプの中を移動できる作動ネジを用いて伸縮する機構を採用することができる。或いは別の例として、二重構造のパイプを用意して一方の大サイズのパイプの中に小サイズのパイプを挿入し、スライド式に長さを調整できるようにしても良い。この場合、大サイズのパイプは第一支持部１３、１８４、２１２に固定され、小サイズのパイプがスライドする構造となる。第三方向側の二重パイプは、小サイズのパイプが第三方向に向かってスライドして伸ばされる。第四方向側の二重パイプは、小サイズのパイプが第四方向に向かってスライドして伸ばされる。
【０１０７】
また、第二支持部１４，第三支持部１５、第四支持部１６、第五支持部１７の全てが備えられた場合のみを説明したがこれに限らない。例えば、第二支持部１４，第三支持部１５、第四支持部１６、第五支持部１７のうちの一つのみ備えても良いし、複数備えても良い。第二支持部１４，第三支持部１５のみ備える場合も考えられる。
【０１０８】
また、表示部材としてスクリーン３２、板状部材３７を表示部材取付部３０、３１に取り外し可能な構造を説明したが、例えばフレーム３等に予め表示部材を固定することも可能である。この場合、長期にわたって広告を表示するような場合に適している。また、牽引車２４３にて簡易設置型表示装置を移動させながら広告表示する場合に適している。さらに、伸縮機構部としてパンタグラフ機構を採用しているが、この方式に限らない。例えば、第一方向及び第二方向に沿ったガイド軸を用い、ガイド軸に沿って垂直移動可能な移動体に第一支持部１３等を接続させることも可能である。
【０１０９】
また、パンタグラフ機構２等、フレーム３等、第一支持部１３等は種々の材質や構造物を使用することができる。例えば、アルミパイプ、アルミ角材、鉄材、樹脂、木材他、簡易設置型表示装置にとって必要な強度、重量、搬送性を考慮して種々の材質等を採用できる。各部材間の締結は、ネジ及びナットを用いて説明したが、これに限らない。例えば、溶接、接着等他の方法も採用可能である。
【０１１０】
表示部材は、スクリーン３２、板状部材３７を例に説明したがこれに限らない。例えば、ＬＣＤ等の表示装置を使用しても良い。また、簡易設置型表示装置は一台の装置を単独で使用する場合を説明したが、例えば複数の簡易設置型表示装置を連結させて更に広い面積の表示可能領域３６を形成することも可能である。
【符号の説明】
【０１１１】
１    簡易設置型表示装置
２    パンタグラフ機構
３    フレーム
５    第一アーム
６    第二アーム
７    第一連結部
８    第一支持部側ガイド部
９    フレーム側ガイド部
１０    第二連結部
１１    第一連結部軸
１２    第二連結部軸
１３    第一支持部
１４    第二支持部
１５    第三支持部
１６    第四支持部
１７    第五支持部
２２    伸縮機構部
２４    上下方向作動ユニット
２５    フレーム側支持部
２８    フレーム上端
２９    フレーム下端
３０、３１    表示部材取付部
３２    表示部材（スクリーン）
３６    表示可能領域
３７    表示部材（板状部材）
４２    表示領域
４３    第一支持部側ガイド部軸
４４    フレーム側ガイド部軸
７１    上下方向作動バーネジ
８０    上下方向作動バーネジ端部
１５０Ａ    マグネット
１５０Ｂ    マグネット
１５１Ａ    マグネット
１５１Ｂ    マグネット
１５３Ａ    面ファスナー
１５３Ｂ    面ファスナー
１５４Ａ    面ファスナー
１５４Ｂ    面ファスナー
１５５    バネフック
１５６    バネフック
１５９    パンタグラフ機構
１６０    横方向作動ネジ
１６１    第二アーム
１６５    横方向作動ユニット
１７１    フレーム側ガイド部
１７２    押上軸ユニット
１８１    押上軸
１８２    第一アーム
１８３    第二アーム
１８６    第一連結部
１８７    第一支持部側ガイド部
１８８    フレーム側ガイド部
１８９    第二連結部
１９０    第一連結部軸
１９１    第二連結部軸
１９２    第一支持部側ガイド部軸
１９３    フレーム側ガイド部軸
２００    パンタグラフ機構
２０２    フレーム上端
２３８    フレーム上端
２３９    押上軸下端
２４０    トレーラー
２４３    牽引車
２４４    一体型トレーラー
２４５    フレーム下端
ＦＬ    フレーム寸法
ＦＷ    フレーム寸法
ＴＰ    第一位置
ＬＰ    第二位置
ＢＰ    第三位置
【図１】
2019078918.tif 000003
【図２】
2019078918.tif 000004
【図３】
2019078918.tif 000005
【図４】
2019078918.tif 000006
【図５】
2019078918.tif 000007
【図６】
2019078918.tif 000008
【図７】
2019078918.tif 000009
【図８】
2019078918.tif 000010
【図９】
2019078918.tif 000011
【図１０】
2019078918.tif 000012
【図１１】
2019078918.tif 000013
【図１２】
2019078918.tif 000014
【図１３】
2019078918.tif 000015
【図１４】
2019078918.tif 000016
【図１５】
2019078918.tif 000017
【図１６】
2019078918.tif 000018
【図１７】
2019078918.tif 000019
【図１８】
2019078918.tif 000020
【図１９】
2019078918.tif 000021
【図２０】
2019078918.tif 000022
【図２１】
2019078918.tif 000023
【図２２】
2019078918.tif 000024
【図２３】
2019078918.tif 000025
【図２４】
2019078918.tif 000026
【図２５】
2019078918.tif 000027
【図２６】
2019078918.tif 000028
【図２７】
2019078918.tif 000029
【図２８】
2019078918.tif 000030
【図２９】
2019078918.tif 000031